(57)【特許請求の範囲】
【請求項１】
無線通信システムにおける基地局側の装置であって、
ユーザー機器のランダムアクセス要求に応答して、当該ユーザー機器によって開始されたアクセス手順がコンテンションベース又は非コンテンションベースのアクセス手順であるかを確定し、コンテンションベースのアクセス手順に対して、アクセスに失敗した可能性のあるユーザー機器に、ユーザー機器がランダムアクセス要求を新たに送信する必要なく前の失敗したアクセス手順を継続するような情報であるアシスタントアクセス情報を準備しておいて、当該アクセスに失敗したユーザー機器が基地局と前記アシスタントアクセス情報に基づいてインタラクションさせてアクセス手順を完成させるように配置されている、処理ユニットを含んでいる装置。
【請求項２】
前記アシスタントアクセス情報は、
予約されたアクセス識別子情報と、
アクセスに失敗したユーザー機器の後続のアップリンク伝送のためのアップリンクリソースグラント指示と、
予約されたランダムアクセスプリアンブルシーケンスと、の少なくとも一つを含んでいる請求項１に記載の装置。
【請求項３】
前記アシスタントアクセス情報は、最終的にアクセスに成功するユーザー機器に対する応答に含まれ、
前記処理ユニットは、前記アシスタントアクセス情報を含むコンテンション解決メッセージ及び／又はランダムアクセス応答メッセージを生成するように配置されている請求項１又は２に記載の装置。
【請求項４】
前記無線通信システムは、高優先度ユーザー機器及び低優先度ユーザー機器を含み、
前記処理ユニットは、前記ランダムアクセス要求を発信するユーザー機器が高優先度ユーザー機器であると確定した場合に、アクセスに失敗したユーザー機器に前記アシスタントアクセス情報を準備しておくように配置されている請求項１〜３のいずれか一項に記載の装置。
【請求項５】
前記装置は前記基地局として作動し、
前記ユーザー機器からのランダムアクセス要求を受信し、前記ユーザー機器へランダムアクセス応答を送信し、前記ランダムアクセス応答に基づくアップリンクデータを受信し、コンテンション解決メッセージを送信するように配置されている送受信ユニットをさらに含み、
前記処理ユニットは、さらに、前記ランダムアクセス要求中のランダムアクセスプリアンブルシーケンスと、前記ランダムアクセス要求中の高優先度ユーザー機器であるかどうかを指示するための情報ビットと、前記ランダムアクセスプリアンブルシーケンスが位置する時間周波数リソースとの少なくとも一つに応じて、ランダムアクセスを行う相応するユーザー機器が高優先度ユーザー機器であるかどうかを確定するように配置されている請求項４に記載の装置。
【請求項６】
前記処理ユニットは、前記ランダムアクセス要求中のランダムアクセスプリアンブルシーケンスが特定のグループに属すると確定した場合に、相応するユーザー機器が高優先度ユーザー機器であると確定し、又は、
前記処理ユニットは、前記ランダムアクセスプリアンブルシーケンスが位置する時間周波数リソースに応じて、相応するユーザー機器のＲＡ−ＲＮＴＩを算出し、当該ＲＡ−ＲＮＴＩに応じて相応するユーザー機器が高優先度ユーザー機器であるかどうかを確定するように配置されている請求項５に記載の装置。
【請求項７】
前記送受信ユニットは、さらに、低優先度ユーザー機器と高優先度ユーザー機器とを含む複数のユーザー機器のランダムアクセス要求が受信された場合に、前記高優先度ユーザー機器に対するランダムアクセス応答を優先して送信するように配置されている請求項５に記載の装置。
【請求項８】
前記処理ユニットは、さらに、
低優先度ユーザー機器に対して第１の所定のバックオフ時間を設置して、当該低優先度ユーザー機器はアクセスに失敗した際に前記第１の所定のバックオフ時間をバックオフした後にランダムアクセス要求を再度送信するようにし、及び／又は
高優先度ユーザー機器に対して第２の所定のバックオフ時間を設置して、当該高優先度ユーザー機器はアクセスに失敗した際に前記第２の所定のバックオフ時間をバックオフした後にランダムアクセス要求を再度送信するように配置され、
前記第１の所定のバックオフ時間は長く、前記第２の所定のバックオフ時間は短い請求項４に記載の装置。
【請求項９】
前記ユーザー機器がアクセスを要求するものはアンライセンス周波数帯域で作動しているセルである請求項１に記載の装置。
【請求項１０】
前記高優先度ユーザー機器はアンライセンス周波数帯域セルにアクセスすることを要求するユーザー機器であり、前記ランダムアクセス応答及び／又はコンテンション解決メッセージには、限定された伝送時間長さの情報であって、アンライセンス周波数帯域での伝送時間長さの情報と、初期伝送をスケジューリングするためのアップリンクリソースを指定する情報との少なくとも一つが含まれ、
当該初期伝送をスケジューリングするためのアップリンクリソースはプライマリセルのリソース又はアンライセンス周波数帯域セルのリソースである請求項５に記載の装置。
【請求項１１】
前記送受信ユニットは、さらに、
コンテンション解決メッセージを送信した後に、アクセスに失敗したユーザー機器が予約されたアクセス識別子と、アップリンクリソースグラントとを使用して送信する、アクセスに失敗したユーザー機器の一意識別子を含むアップリンクデータをモニタリングするように配置されている請求項５に記載の装置。
【請求項１２】
前記ユーザー機器はＶ２Ｘユーザー機器であり、前記アップリンクデータにはユーザー機器の位置情報がさらに含まれている請求項１１に記載の装置。
【請求項１３】
前記処理ユニットは、さらに、ＲＲＣ接続中であるユーザー機器の位置情報に応じてセキュリティ情報ブロードキャストを受信する必要のあるユーザー機器を選択するように配置され、前記送受信ユニットは、ＲＲＣシグナリングにより選択されたユーザー機器に前記セキュリティ情報ブロードキャストのリソース位置を通知する請求項１２に記載の装置。
【請求項１４】
前記送受信ユニットは、さらに、前記アクセスに失敗したユーザー機器の一意識別子により、補正された時間繰上げ量が含まれているＲＲＣ接続確立コマンドを送信するように配置され、
前記ユーザー機器はＶ２Ｘユーザー機器であり、前記ＲＲＣ接続確立コマンドには、安全情報ブロードキャストのためのアップリンクリソーススケジューリングがさらに含まれて、請求項１１に記載の装置。
【請求項１５】
無線通信システムにおけるユーザー機器側の装置であって、
位置情報に基づいてランダムアクセス要求を生成してコンテンションベースアクセス手順を開始し、
アクセスに失敗した場合に、ユーザー機器がランダムアクセス要求を新たに送信する必要なく前の失敗したアクセス手順を継続するような情報であるアシスタントアクセス情報であって、基地局からのアシスタントアクセス情報に基づいて当該基地局とインタラクションしてアクセス手順を完成するように配置されている処理ユニットを含んでいる装置。
【請求項１６】
前記アシスタントアクセス情報には、
予約されたアクセス識別子情報と、
アクセスに失敗したユーザー機器の後続のアップリンク伝送のためのアップリンクリソースグラント指示と、
予約されたランダムアクセスプリアンブルシーケンスと、の少なくとも一つを含んでいる請求項１５に記載の装置。
【請求項１７】
前記処理ユニットは、さらに、
異なる優先度のユーザー機器のために異なるランダムアクセスプリアンブルシーケンスを確定するように配置されており、及び／又は
異なる優先度のユーザー機器のためにランダムアクセス要求に用いられる異なる時間周波数リソースを確定するように配置されている請求項１５に記載の装置。
【請求項１８】
前記基地局へランダムアクセス要求を送信し、前記基地局からのランダムアクセス応答を受信し、前記ランダムアクセス応答に基づいて前記基地局へアップリンクデータを送信し、コンテンション解決メッセージを受信するように配置されている送受信ユニットをさらに含んでいる請求項１５に記載の装置。
【請求項１９】
前記ユーザー機器は高優先度ユーザー機器としてのＶ２Ｘユーザー機器であり、且つ、前記ユーザー機器がＲＲＣ＿ＩＤＬＥ状態にある時間が所定の閾値を超えたこと、前記ユーザー機器が特定の領域に到達すること、情報をブロードキャストする必要があることとの少なくとも一つを満たした場合に、前記送受信ユニットはランダムアクセス要求を送信する請求項１８に記載の装置。
【請求項２０】
無線通信システムにおけるユーザー機器側の方法であって、
位置情報に基づいてランダムアクセス要求を生成して、コンテンションベースのアクセス手順を開始し、
アクセスに失敗した場合に、ユーザー機器がランダムアクセス要求を新たに送信する必要なく前の失敗したアクセス手順を継続するような情報であるアシスタントアクセス情報であって、基地局からのアシスタントアクセス情報に基づいて当該基地局とインタラクションしてアクセス手順を完成することを含む方法。
【発明の詳細な説明】
【技術分野】
【０００１】
本願は、２０１５年７月２９日に中国専利局に提出した、出願番号が２０１５１０４５６５９６．０であって、発明の名称が「無線通信システム、基地局側とユーザー機器側の装置及び方法」である中国特許出願の優先権を主張し、本願で、その全ての内容を援用するものとする。
【０００２】
本発明の実施例は、全体として、無線通信分野に関し、具体的に、ランダムアクセス手順に関し、より具体的に、アシスタントアクセス情報によりランダムアクセスを速める無線通信システムにおける基地局側とユーザー機器側の装置、方法、及び無線通信システムに関する。
【背景技術】
【０００３】
ユーザーは高速データ伝送の需要が高まっており、ＬＴＥは間違いなく最も競争力持つ無線伝送技術の１つである。ＬＴＥでは、ユーザー機器にＲＲＣ＿ＣＯＮＮＥＣＴＥＤとＲＲＣ＿ＩＤＬＥとの二つの状態が存在することができる。ユーザー機器をＲＲＣ＿ＩＤＬＥ状態からＲＲＣ＿ＣＯＮＮＥＣＴＥＤ状態へ遷移させ、又はリンク障害から回復させるために、切り替え過程で（又はアップリンクの同期が外れたユーザー機器に対して）アップリンクの同期を行い、あるいはスケジューリング要求を伝送するのにリソースが足りない、上記の場合、いずれもランダムアクセス手順を行う必要がある。
【０００４】
ところが、現在で、ユーザー機器がＲＲＣ＿ＩＤＬＥ状態からＲＲＣ＿ＣＯＮＮＥＣＴＥＤへ遷移するために要求する最大時間間隔は５０ｍｓである。そして、ランダムアクセス手順において衝突が発生する可能性があり、ランダムアクセスの手順が長くなる。従って、特別のサービス、例えば高いリアルタイム性を要求するＶ２Ｘ安全業務、リソースの可用性が速く変化するアンライセンスリソースでのサービスについて、アクセスの失敗による遅れは深刻な結果をきたす可能性がある。高いリアルタイム性を要求する応用シーンの需要を満たし、及び通信効率を向上させるために、ランダムアクセスの手順を速めることが望ましい。
【発明の概要】
【課題を解決するための手段】
【０００５】
以下では、本発明に関する簡単な概略を説明して、本発明のある局面に関する基本的理解を提供する。この概略が本発明に関する取り尽くし的概略ではないと理解すべきである。それは、本発明の肝心又は重要部分を意図的に特定するものではなく、本発明の範囲を意図的に限定するものでもない。その目的は、簡素化の形式で、ある概念を提供して、後論述するより詳しい技術の前言とするものである。
【０００６】
本願の一局面によれば、無線通信システムにおける基地局側の装置を提供し、ユーザー機器のランダムアクセス要求に応答して、当該ユーザー機器によって開始されたアクセス手順がコンテンションベース又は非コンテンションベースのアクセス手順であるかを確定し、コンテンションベースのアクセス手順に対して、アクセスに失敗した可能性のあるユーザー機器にアシスタントアクセス情報を予備しておいて、当該アクセスに失敗したユーザー機器が基地局とアシスタントアクセス情報に基づいてインタラクションさせてアクセス手順を完成させるように配置されている。
【０００７】
本願の他の一局面によれば、無線通信システムにおけるユーザー機器側の装置を提供し、所定の配置情報に基づいてランダムアクセス要求を生成してコンテンションベースアクセス手順を開始し、アクセスに失敗した場合に、基地局からのアシスタントアクセス情報に基づいて当該基地局とインタラクションしてアクセス手順を完成するように配置されている処理ユニットを含んでいる。
【０００８】
本願の一局面によれば、無線通信システムにおける基地局側の方法を提供し、ユーザー機器のランダムアクセス要求に応答して、当該ユーザー機器によって開始されたアクセス手順がコンテンションベース又は非コンテンションベースランダムアクセス手順であるかを確定し、コンテンションベースのアクセス手順に対して、アクセスに失敗した可能性のあるユーザー機器にアシスタントアクセス情報を予備しておいて、当該アクセスに失敗したユーザー機器に基地局とアシスタントアクセス情報に基づいてインタラクションさせてアクセス手順を完成させることを含む。
【０００９】
本願の他の一局面によれば、無線通信システムにおけるユーザー機器側の方法を提供し、所定の配置情報に基づいてランダムアクセス要求を生成して、コンテンションベースのアクセス手順を開始し、アクセスに失敗した場合に、基地局からのアシスタントアクセス情報に基づいて当該基地局とインタラクションしてアクセス手順を完成することを含む。
【００１０】
本願の他の一局面によれば、基地局とユーザー機器とが含まれている無線通信システムをさらに提供し、基地局は上記無線通信システムにおける基地局側の装置を含み、ユーザー機器は上記無線通信システムにおけるユーザー機器側の装置を含む。
【００１１】
本発明の他の局面によれば、上記無線通信システムにおける基地局側とユーザー機器側の方法を実現するためのコンピュータプログラムコードとコンピュータプログラム製品、及びその上に当該無線通信システムにおける基地局側とユーザー機器側の方法を実現するためのコンピュータプログラムコードが記録されたコンピュータ読み取り可能な記憶媒体をさらに提供する。
【００１２】
本願の実施例において、コンテンションベースのランダムアクセス手順においてアクセスに失敗した可能性のあるユーザー機器にアシスタントアクセス情報を予備しておいて当該ユーザー機器に当該アシスタントアクセス情報を利用させてアクセスを完成させ、ユーザー機器のランダムアクセス手順を速めるようになる。
【００１３】
本開示の上記および他の利点は、以下図面を参照しながら本発明の好適な実施例の詳細な記述により、より明らかとなるであろう。
【図面の簡単な説明】
【００１４】
さらに、本発明の以上、他の利点や特徴を説明するために、以下で図面を参照しながら本発明の具体的実施形態についてより詳細な説明を行う。前記図面は以下の詳細説明とともに本明細書に含まれ且つ本明細書の一部を形成する。同一の機能と構造を有する部品は同一参照符号で示す。理解すべきことは、これらの図面は本発明の典型例しか記述しないが、本発明の範囲を限定することと見なさない。図面において、
【図１】本願の一実施例による、無線通信システムにおける基地局側の装置の構成ブロック図を示している。
【図２】図１における処理ユニットの機能モジュールブロック図の例を示している。
【図３】本願の一実施例による、ランダムアクセス手順のメッセージの流れの例の図を示している。
【図４】本願の一実施例による、ランダムアクセスに失敗したユーザー機器は予め保留されたランダムアクセスプリアンブルシーケンスを利用して新たにアクセスを開始するメッセージの流れの例の図を示している
【図５】論理ルートシーケンス番号と物理ルートシーケンス番号とのリストを示している。
【図６】専用ＰＲＡＣＨリソースが時間領域に配置された密集な配置の例の図を示している。
【図７】Ｖ２Ｖ応用シーンの一つの概略的な例を示している。
【図８】Ｖ２Ｖアプリケーションにおいて車両が自動に通信を行うシーンの模式図を示している。
【図９】本願の一実施例による、無線通信システムにおけるユーザー機器側の装置の構成ブロック図を示している。
【図１０】図９における処理ユニットの機能モジュールブロック図の例を示している。
【図１１】本願の一実施例による、無線通信システムにおける基地局側の方法のフローチャートを示している。
【図１２】本願の一実施例による、無線通信システムにおけるユーザー機器側の方法のフローチャートを示している。
【図１３】本開示の技術を応用できるｅＮＢの概略的な配置の第一の例を示しているブロック図である。
【図１４】本開示の技術を応用できるｅＮＢの概略的な配置の第二の例を示しているブロック図。
【図１５】本開示の技術を応用できるスマートフォンの概略的な配置を示しているブロック図である。
【図１６】本開示内容の技術を応用できるカーナビゲーションデバイスの概略的な構成の一例を示しているブロック図である
【図１７】本発明の実施例による方法及び／又は装置及び／又はシステムを実現する汎用コンピュータの概略的な構成のブロック図である。
【発明を実施するための形態】
【００１５】
以下、図面に基づいて、本発明の例示的な実施例を記述する。明らか、簡明のために、明細書において実際の実施形態の全部の特徴を記述しない。但し、理解すべきことは、開発者の具体的な目標を実現するように、これらの実際の実施例を開発する過程で実施形態に特定する決定をしなければならず、例えば、システム及び業務に関する制限条件に適い、且つこれら制限条件は、実施形態が異なるに伴って変わる可能性がある。なお、さらに、理解すべきことは、開発仕事が複雑で、時間がかかる可能性があるが、本開示されている内容に得意な当業者にとって、このような開発仕事はきまり通り行う任務に過ぎない。
【００１６】
ここで、さらに説明する必要がある点は、不必要な内容によって本開示をぼかすことを避けるために、図面において、本発明の方案に緊密に関する装置構成及び／又は処理ステップのみを示し、本発明に関係がない他の内容を省略した。
【００１７】
＜第１の実施例＞
図１に、本願の一実施例による、無線通信システムにおける基地局側の装置１００の構成ブロック図を示し、図１に示すように、装置１００は、ユーザー機器（ＵＥ）のランダムアクセス要求に応答して、当該ＵＥによって開始されたアクセス手順がコンテンションベース（ｃｏｎｔｅｎｔｉｏｎ  ｂａｓｅｄ）又は非コンテンションベース（ｎｏｎ−ｃｏｎｔｅｎｔｉｏｎ  ｂａｓｅｄ）のアクセス手順であると確定し、コンテンションベースのアクセス手順に対して、アクセスに失敗した可能性があるＵＥにアシスタントアクセス情報を予備しておいて、アクセスに失敗したＵＥに基地局とアシスタントアクセス情報に基づいてインタラクションさせてアクセス手順を完成させるように配置されている処理ユニット１０１を含んでいる。
【００１８】
処理ユニット１０１は、例えば、データ処理能力を有する中央処理装置（ＣＰＵ）、マイクロプロセッサ、集積回路モジュールなどであってもよい。なお、装置１００は一つの処理ユニット１０１を含んでもよいし、複数の処理ユニット１０１を含んでもよい。
【００１９】
さらに、処理ユニット１０１は、別々の機能ユニットを含んで各種の異なる機能及び／又は操作を実行することができる。なお、これらの機能ユニットは、物理実体又は論理実体であってもよく、異なる名称のユニットは同一の物理実体により実現され得る。
【００２０】
例えば、図２に示すように、処理ユニット１０１は、ＵＥのランダムアクセス要求に応答して、当該ＵＥによって開始されたアクセス手順がコンテンションベース又は非コンテンションベースランダムアクセス手順であると確定するように配置されている判断ユニット１００１と、コンテンションベースのアクセス手順に対して、アクセスに失敗した可能性があるＵＥにアシスタントアクセス情報を予備しておいて、当該アクセスに失敗したＵＥに基地局とアシスタントアクセス情報に基づいてインタラクションさせてアクセス手順を完成させる予備ユニット１００２とを含んでいる。図２に示す機能モジュール構造は例示であり、これに限定されない。
【００２１】
その中、ＵＥのランダムアクセス要求は、コンテンションベースのアクセス要求と非コンテンションベースのアクセス要求との二つを含み、例えば、コンテンションベースのアクセス要求と非コンテンションベースのアクセス要求は異なるグループに属するランダムアクセスプリアンブルシーケンス（以下、プリアンブルシーケンスと略称される）を使用し、処理ユニット１０１（具体的に、例えば、処理ユニット１０１における判断ユニット１００１）は、ランダムアクセス要求中のプリアンブルシーケンスがどのグループに属するかを判断することで、当該アクセス要求がコンテンションベースであるか、又は非コンテンションベースであるかを判断してもよい。例えば、基地局は、事前に、コンテンションアクセスのみに用いられるプリアンブルシーケンスの集合をブロードキャストし、且つ、処理ユニット１０１は、ランダムアクセス要求中のプリアンブルシーケンスと当該集合とを比較することでコンテンションベースのランダムアクセス要求であるかどうかを判断してもよい。また、基地局は、事前にダウンリンクの専用シグナリングによりＵＥに対してプリアンブルシーケンスの割当を行ってもよく、なお、割当てられたプリアンブルシーケンスは、衝突を回避するために、事前に予め保留されたものであり、ＵＥが当該割当てられたプリアンブルシーケンスを用いたランダムアクセス要求は非コンテンションである。
【００２２】
コンテンションベースのランダムアクセス手順において、二つ又は二つ以上のＵＥが同時に同じランダムアクセスプリアンブルシーケンスとＰＲＡＣＨ時間周波数リソースを使用してランダムアクセスを行う可能性があり、この場合、二つ又は二つ以上のＵＥの送信したランダムアクセス要求は同じであり、基地局は認識できなく、そして、続いて同じ応答を送信し、その結果、この二つ又は二つ以上のＵＥは衝突が発生してしまい、少なくとも一つのＵＥはランダムアクセスに失敗したようにする。従来の技術では、アクセスに失敗したＵＥは一定の時間をバックオフした後に新たにアクセスを行い、これは、ランダムアクセスの手順が長くなり、ＵＥが長い時間を待ってからデータ伝送を行うようになる。
【００２３】
ランダムアクセス手順を速めるために、この実施例の処理ユニットは、アクセスに失敗したＵＥにアシスタントアクセス情報を予備しておいて、それに基地局と当該アシスタントアクセス情報に基づいてインタラクションさせてアクセス手順を完成させる。新たにアクセスを開始する必要がせず、既に予備しておいたアシスタントアクセス情報を使用してアクセスを完成するので、アクセスに失敗したＵＥでも、アクセスを速く完成してデータ伝送を行うことができ、遅れを低減させるようになる。そして、二つ以上のＵＥに衝突が発生した場合に、二つ又は二つ以上のアクセスに失敗したＵＥがあり、その中の一つのアクセスに失敗したＵＥ（第１の失敗ＵＥ）において予備しておいたアシスタントアクセス情報を利用してアクセスを行う際にアシスタントアクセス情報を重複して予備し、他の一つのアクセスに失敗したＵＥ（第２の失敗ＵＥ）に当該アシスタントアクセス情報を利用させてアクセスを完成させることができ、第２の失敗ＵＥはまだアクセスが成功しないと、伝統の方式に従って新たにアクセスを開始する。また、これはＵＥのランダムアクセスが成功する確率を高める。
【００２４】
アシスタントアクセス情報は、例えば、ＵＥがランダムアクセス要求を新たに送信する必要なく前の失敗したアクセス手順を継続するような情報である。一つの例において、アシスタントアクセス情報は、予め保留されたアクセス識別子情報と、アクセスに失敗したＵＥの後続のアップリンク伝送のためのアップリンクリソースグラント指示と、予め保留されたランダムアクセスプリアンブルシーケンスとの少なくとも一つを含んでいる。
【００２５】
例えば、一般に、基地局はアクセスを要求するＵＥにアクセス識別子情報を割り当てて（又は算出）、後続のインタラクションに用いられる。ところが、衝突が発生した場合に、一つのＵＥのみは当該アクセス識別子情報を使用して、ランダムアクセスに成功することができる。アシスタントアクセス情報には予め保留されたアクセス識別子情報を含んで、アクセスに失敗したＵＥに当該情報を利用させて後続のインタラクションを行わせることが可能である。例えば、ＬＴＥシステムにおいて、当該予め保留されたアクセス識別子情報は、予め保留された一時セル無線ネットワーク一時識別子（ＲＴＣ−ＲＮＴＩ）であってもよく、アクセスに失敗したＵＥは当該ＲＴＣ−ＲＮＴＩを使用してアップリンクデータにスクランブルをかけることで、続いてアップリンクデータを送信し、基地局は予め保留されたアップリンクリソースの上でモニタリングし相応するＲＴＣ−ＲＮＴＩに応じてデスクランブルを行い、即ち、前回のアクセスに失敗したＵＥへの快速アクセスを実現することができる。
【００２６】
上記アシスタントアクセス情報は、アクセスを要求するＵＥに対する応答に含まれてもよい。全てのアクセスを要求するＵＥは、ともに、基地局の応答をモニタリングし、このようにすれば、最終的にアクセスに成功しないＵＥは今回のランダムアクセス活動で他のアシスタントアクセス情報を得るようにし、次の操作に寄与する。
【００２７】
相応するように、処理ユニット１０１（具体的に、例えば、処理ユニット１０１における予備ユニット１００２）は、アシスタントアクセス情報を含むコンテンション解決メッセージ及び／又はランダムアクセス応答（ＲＡＲ）メッセージを生成するように配置されてもよい。具体的に、アシスタントアクセス情報ついては、全部でコンテンション解決メッセージに含まれ、全部でＲＡＲに含まれ、又は一部がコンテンション解決メッセージに含まれて残ったものがＲＡＲに含まれてもよい。ＬＴＥシステムにおいて、処理ユニット１０１は、アシスタントアクセス情報をＭｓｇ．２及び／又はＭｓｇ．４に含んでもよい。例えば、Ｍｓｇ．４には最終的にアクセスに成功したＵＥのＩＤがさらに含まれ、ＵＥは、Ｍｓｇ．４を受信した後に、自体のＩＤと当該ＩＤとを比較し、異なると、アクセスに失敗したと判断し、次に、上記アシスタントアクセス情報を使用して基地局と継続してインタラクションする。アシスタントアクセス情報をＭｓｇ．４に含んでいる際に、アクセスに成功したＵＥは、当該アシスタントアクセス情報を復号する必要がないので、その処理負荷を低減させるようになる。この手順で、ＵＥは、例えば、受信したアシスタントアクセス情報をバッファメモリに記憶し、アクセスに失敗した場合にアシスタントアクセス情報を読み取って利用して後続のアクセスを行い。アクセスが成功した場合にこの部分のバッファをクリアする。
【００２８】
なお、装置１００は基地局として作動してもよく、図１中の破線枠で示すように、装置１００は、ＵＥからのランダムアクセス要求を受信し、ＵＥへランダムアクセス応答を送信し、ランダムアクセス応答に基づくアップリンクデータを受信し、コンテンション解決メッセージを送信するように配置されている送受信ユニット１０２をさらに含んでいる。
【００２９】
図３に、本願の一実施例による、ランダムアクセス手順のメッセージの流れの例の図を示し、なお、二つのＵＥは同じプリアンブルシーケンスとＰＲＡＣＨ時間周波数リソースとを使用して同時にｅＮＢへ第１のメッセージ、例えばランダムアクセス要求を送信し、この際にランダムアクセスの衝突が発生し、送受信ユニット１０２はランダムアクセス要求を受信した後に、この二つのＵＥへ第２のメッセージ、例えばランダムアクセス応答（ＲＡＲ）をそれぞれ送信し、当該ＲＡＲには、例えば、時間繰上げ量ＴＡ、ＴＣ−ＲＮＴＩ、第３のメッセージに用いられるアップリンクリソースグラント指示などを含み、ＵＥは、受信した当該ＲＡＲに基づいて第３のメッセージを送信し、その中、第３のメッセージは、ＲＲＣ接続要求であってもよく、幾つかの制御メッセージ又はサービスデータパケットであってもよく、且つＵＥの識別子情報を含む。次に、送受信ユニット１０２は、ＵＥへ第４のメッセージ、例えばコンテンション解決メッセージを送信する。上記のように、アクセスに失敗したＵＥに用いられるアシスタントアクセス情報は、第２のメッセージ及び／又は第４のメッセージに含まれてもよい。
【００３０】
一つの例として、上記ランダムアクセス手順は、ＵＥをＲＲＣ＿ＩＤＬＥからＲＲＣ＿ＣＯＮＮＥＣＴＥＤ状態に遷移させるために用いられるものであり、この場合、第３のメッセージはＲＲＣ接続要求であり、第４のメッセージはＲＲＣ接続確立コマンドであり、アクセスに成功したＵＥの識別子情報を含んでいる。
【００３１】
図３に示すように、送受信ユニット１０２は、さらに、コンテンション解決メッセージを送信した後にアクセスに失敗したユーザー機器が予め保留された前記アクセス識別子と、アップリンクリソースグラントとを使用して送信した、アクセスに失敗したユーザー機器の一意識別子が含まれているアップリンクデータをモニタリングするように配置されてもよい。図３において、当該アップリンクデータは第５のメッセージとして示されている。第３のメッセージと類似して、当該第５のメッセージはＲＲＣ接続要求であってもよく、幾つかの制御メッセージ又はサービスデータパケットであってもよく、且つアクセスに失敗したＵＥの一意識別子を含む。例えば、ＵＥが初回にアクセスする際に第５のメッセージはＲＲＣ接続確立要求であってもよく、ＮＡＳ  ＵＥ識別子を含み、ＲＲＣ接続再確立の際に、第５のメッセージはＲＲＣ接続際確立要求であってもよく、Ｃ−ＲＮＴＩを含み、なお、ＮＡＳ  ＵＥ識別子とＣ−ＲＮＴＩはともにＵＥの一意識別子である。
【００３２】
また、送受信ユニット１０２は、さらに、アクセスに失敗したユーザー機器の一意識別子により、補正された時間繰上げ量が含まれているＲＲＣ接続確立コマンド（図３中に第６のメッセージとして示されている）を送信するように配置されていてもよい。これは、前に例えば第２のメッセージにおいて提供したＴＡが当該アクセスに失敗したＵＥに対して算出するものではないので、例えば基地局が第５のメッセージを受信したが二つのＵＥの位置及び／又は二つのＵＥと基地局との距離が大きく異なる場合に調整を行う必要がある可能性があり、後続のデータ伝送が正確に行われるようにする。ＴＡの算出は、先行の任意の方法を採用して行うことができるので、ここで重複しない。なお、ＲＲＣ接続確立コマンドには、アクセスに失敗したＵＥの一意識別子を含んで、アクセスに失敗したＵＥはその第二回のアクセスに成功することを確定するようにする。
【００３３】
但し、第２のメッセージで提供されるＴＡは、当該アクセスに失敗したＵＥに対して算出するものではないので、アクセスに失敗したＵＥは当該ＴＡに応じて送信した第５のメッセージについて、基地局は受信できない場合がある。本発明のさらに一例において、この場合、ＵＥは第５のメッセージを送信した後に、タイマーＴがセットされ、タイマーがタイムアウトした後に第６のメッセージを受信しなければ、第４のメッセージ中の予め保留されたランダムアクセスプリアンブルシーケンスを利用してランダムアクセス要求（即ち、第１のメッセージ）を送信する。言い換えれば、アクセスに失敗したＵＥは、予め保留されたプリアンブルシーケンスによりランダムアクセスを新たに開始し、相関する情報の流れについては、図４に概略的に示す。なお、送受信ユニット１０２は、当該ランダムアクセス要求を受信した後、当該ＵＥに対して算出したＴＡと、後続のアップリンク伝送のための新しく免許されたアップリンクリソース指示とが含まれているランダムアクセス応答（即ち、第２のメッセージ）を送信し、次に、アクセスに失敗したＵＥは再算出されたＴＡに応じて予め保留されたアクセス識別子情報と上記新しく免許されたアップリンクリソースとを使用して送信したアップリンクデータ（即ち、第３のメッセージ）、例えばＲＲＣ接続要求を受信する。その後、ｅＮＢは、第４のメッセージ例えばＲＲＣ接続確立コマンドを発信する。当該ランダムアクセス手順で使用されるプリアンブルシーケンスは予め保留されたものであるので、他のＵＥと衝突することがなく、当該ランダムアクセス手順は、実際に非コンテンションのアクセス手順である。
【００３４】
上記した基地局はＬＴＥ通信システムにおけるｅＮＢとして実現されてもよく、他のタイプの基地局であってもよい。一例において、ＵＥがアクセスを要求するものはアンライセンス周波数帯域で作動しているセルである。アンライセンス伝送リソースは、例えば各国の法律でセルラーシステムに指定されない伝送リソースであり、例えばセルラーシステム以外の通信システムに割当てられた伝送リソース、例えばＷｉＦｉシステムが作動する２．４ＧＨｚ又は５ＧＨｚ作動周波数帯域、又はテレビ放送システムが作動する伝送周波数帯域などのリソースである。現在の３ＧＰＰ標準は、ＬＴＥシステムにアンライセンス伝送リソースを応用することについて検討している。一般の仕方は、アンライセンス周波数帯域を利用する前に相応する周波数帯域が空きであるかどうかを検出し、空きであると確認した場合に、一定の占用時間長さ制限条件で利用する。言い換えれば、使用の公平性を確保するために、アンライセンス周波数帯域の使用については、一般に時間制限があるので、アクセスが早いほど、当該周波数帯域の使用効率が高くなることを意味する。当該例において、本願による上記装置１００は、ランダムアクセス手順を効果的に速めることができ、アンライセンス周波数帯域の使用効率を向上させる。
【００３５】
以上のように、当該実施例による装置１００は、アクセスに失敗したＵＥにアシスタントアクセス情報を提供することで、それがアクセス要求を新たに開始することを回避し、アシスタントアクセス情報により予め保留された情報／リソースを使用してアクセスを完成し、そのランダムアクセス手順を速め、遅れを低減させるようになる。
【００３６】
＜第二の実施例＞
第一の実施例において、全てのＵＥに対してアシスタントアクセス情報を予備しておいて、即ち、全てのＵＥは、衝突が発生した場合に、アシスタントアクセス情報に基づく加速アクセス処理を利用するが、一部のＵＥに対してアシスタントアクセス情報を予備しておいて、即ち、一部のＵＥのランダムアクセス手順を速めてもよい。
【００３７】
例えば、無線通信システムは、高優先度ＵＥ及び低優先度ＵＥを含み、なお、処理ユニット１０１は、ランダムアクセス要求を発信するＵＥが高優先度ＵＥであると確定した場合に、アクセスに失敗したＵＥにアシスタントアクセス情報を予備しておくように配置されている。図２に示す機能モジュールブロック図を参照して、例えば、判断ユニット１００１は、ランダムアクセス要求を発信したＵＥが高優先度ＵＥであるかどうかを判断し、高優先度ＵＥであると判断した場合に、予備ユニット１００２は、アクセスに失敗したＵＥにアシスタントアクセス情報を予備しておく。言い換えれば、高優先度ＵＥの間に衝突が発生した場合だけに、アシスタントアクセス情報を予備しておいて高優先度ＵＥのランダムアクセス手順を速める。もちろん、さらに、全てのＵＥに対してアシスタントアクセス情報を予備しておくように配置されてもよいが、ＵＥはアシスタントアクセス情報を受信した後に自体のサービスのタイプを判断し、自体が高優先度ＵＥである場合だけに当該アシスタントアクセス情報を使用してアクセスを行う。
【００３８】
一例において、処理ユニット１０１は、さらに、低優先度ＵＥに第１の所定のバックオフ時間を設置し、当該低優先度ＵＥはアクセスに失敗した際に第１の所定のバックオフ時間の間、バックオフした後にランダムアクセス要求を再度送信するようにし、及び／又は高優先度ＵＥに対して第２の所定のバックオフ時間を設置して、当該高優先度ＵＥはアクセスに失敗した際に、第２の所定のバックオフ時間の間、バックオフした後にランダムアクセス要求を再度送信するようにするように配置され、第１の所定のバックオフ時間は長く、第２の所定のバックオフ時間は短い。図２に示す機能モジュールブロック図を参照して、例えば、予備ユニット１００２により上記第１の所定のバックオフ時間と第２の所定のバックオフ時間との設置を行う。
【００３９】
従来の技術では、ＵＥはアクセスに失敗した後に、０−ＢＩ（ｂａｃｋｏｆｆ  ｉｎｄｉｃａｔｏｒ）値から一つの値を選択してバックオフ時間とし、ＢＩの値は、セルの負荷に応じて設置される。この実施例において、例えば高優先度ＵＥと低優先度ＵＥとに異なる範囲からランダム選択を行わせてもよい。例えば、高優先度ＵＥは０−ＢＩ１から選択し、低優先度ＵＥは０−ＢＩ２から選択し、なお、ＢＩ１＜ＢＩ２となる。また、低優先度ＵＥは、例えば、ＢＩ１−ＢＩ２から選択してもよい。もちろん、高優先度ＵＥのみに短いバックオフ時間を設置し、低優先度ＵＥについて従来の設置を踏襲してもよい。
【００４０】
高優先度ユーザー機器に短いバックオフ時間を設置することにより、高優先度ＵＥのアクセス速度と成功率を高めることができ、そのデータ伝送のリアルタイム性を改善するようになる。当該例が応用できるシーンは、以上で記載されたアシスタントアクセス情報に基づくアクセスに限定せず、いずれかの優先度設定を有するＵＥのランダムアクセスに応用することが可能であると理解すべきである。
【００４１】
一例において、処理ユニット１０１は（具体的に、例えば処理ユニット１０１における判断ユニット１００１）は、ランダムアクセス要求中のランダムアクセスプリアンブルシーケンス、ランダムアクセス要求中の、高優先度ＵＥであるかどうかを指示するための情報ビットと、ランダムアクセスプリアンブルシーケンスが位置する時間周波数リソースとの少なくとも一つに応じてランダムアクセスを行う相応するＵＥが高優先度ＵＥであるかどうかを確定するように配置されている。
【００４２】
例えば、高優先度ＵＥと低優先度ＵＥとに異なるランダムアクセスプリアンブルシーケンスを割当てて、処理ユニット１０１はランダムアクセス要求中のプリアンブルシーケンスに応じて当該ランダムアクセス要求が高優先度ＵＥからのものであるか、低優先度ＵＥからのものであるかを確定するようにしてもよい。
【００４３】
具体的に、処理ユニット１０１は、ランダムアクセス要求中のランダムアクセスプリアンブルシーケンスが特定のグループに属すると確定した場合に、相応するＵＥが高優先度ＵＥであると確定する。この場合、事前に、高優先度ＵＥに用いられる新しいプリアンブルシーケンスグループを定義しておく。
【００４４】
現在の標準にＡグループとＢグループとを定義し、新しいプリアンブルシーケンスグループを定義する必要があると、ＲＡＣＨ配置に新しいプリアンブルシーケンスグループの相関情報を増加する必要があり、ＲＡＣＨ配置情報は例えばＳＩＢ２に含まれる。一例として、基地局がＲＡＣＨ−ＣｏｎｆｉｇＣｏｍｍｏｎ情報要素（Ｉｎｆｏｒｍａｔｉｏｎ  Ｅｌｅｍｅｎｔ）を生成した際に、その中に新しいプリアンブルシーケンスグループの配置情報を含み、例えば新しいプリアンブルシーケンスグループに含まれているプリアンブルシーケンス、送信電力などの情報を挙げてもよい。実際の応用において、基地局は、ＲＡＣＨ配置情報、例えばＲＡＣＨ−ＣｏｎｆｉｇＣｏｍｍｏｎ情報要素をシステム情報メッセージ例えばＳＩＢ２に含んで、ブロードキャストシグナリング又は専用シグナリングによりそれをＵＥに送信して、ＵＥがランダムアクセスを行う際に使用されてもよい。対応するように、ＵＥは、システム情報メッセージ中のＲＡＣＨ配置情報を解析することにより、高優先度ＵＥとしてランダムアクセスを行う際に使用可能なプリアンブルシーケンスの選択可能な範囲などの情報を知る。
【００４５】
また、基地局は、高優先度ＵＥと低優先度ＵＥとに異なるルートシーケンス値を使用させることで、高優先度ＵＥと低優先度ＵＥとが使用する異なるプリアンブルシーケンスの範囲を確定することができる。例えば、図５に示す物理ルートシーケンス番号ｕから一部を選択して高優先度ＵＥに使用し、残ったものを低優先度ＵＥに使用する。具体的に、システム情報において高優先度ＵＥと低優先度ＵＥとにそれぞれ使用するシーケンス番号を標識してもよい。ＵＥは、自体の優先度に応じて相応するシーケンス番号を選択してプリアンブルシーケンスを生成してもよい。処理ユニット１０１は、当該プリアンブルシーケンスに応じてＵＥの優先度を判断することが可能である。
【００４６】
又は、基地局は、高優先度ＵＥと低優先度ＵＥとに同じルートシーケンスを使用させるが、異なるサイクリングシフトを使用して区別してもよい。例えば、基地局は、システム情報又は高レベルシグナリングにより、ＵＥに、高優先度ＵＥと低優先度ＵＥとに用いられるサイクリングシフトが何の値であるかを通知してもよい。
【００４７】
上記のように、基地局は、異なる優先度のＵＥが使用するプリアンブルシーケンスを区別せず、プリアンブルシーケンスを送信する過程で区別してもよい。
【００４８】
一例において、プリアンブルシーケンスを送信し、同時に高優先度ＵＥであるかどうかを指示するための情報ビット、例えば１ビットの識別子を増加してもよい。当該情報は従来の保護間隔を占用し、その後、ＰＲＡＣＨにマッピングして伝送してもよい。
【００４９】
また、処理ユニット１０１は、さらに、ランダムアクセスプリアンブルシーケンスが位置する時間周波数リソースに応じて相応するＵＥのランダムアクセス無線ネットワーク一時識別子（ＲＡ−ＲＮＴＩ）を算出し、当該ＲＡ−ＲＮＴＩに応じて相応するＵＥが高優先度ＵＥであるかどうかを確定するように配置されてもよい。この場合、例えば、高優先度ＵＥに専用のＰＲＡＣＨリソースを割り当て、ＲＡ−ＲＮＴＩがＰＲＡＣＨリソースに対応するので、高優先度ＵＥが特定のＲＡ−ＲＮＴＩを有することに相当し、処理ユニット１０１は、これに応じて当該ＵＥが高優先度ＵＥであるかどうかを判断することが可能である。当該専用のＰＲＡＣＨリソースは、高レベルシグナリング配置ｐｒａｃｈ−ｃｏｎｆｉｇｕｒａｔｉｏｎＩｎｄｅｘが割り当ててもよい。
【００５０】
ＰＲＡＣＨ時間領域リソースが少なすぎるとＵＥがプリアンブルシーケンスを伝送するのに待ち時間が増加してしまうので、専用のＰＲＡＣＨリソースを時間領域で密集に配置してもよい。異なるプリアンブル信号フォーマット（０〜３）のプリアンブル信号が占用する時間領域の長さが異なるので、それが採用できる最密集配置については、図６に示す。なお、図６に示すものは遅れを最適化するのに採用する最密集な時間領域配置であり、これに限定せず、実際の応用においてオーバーヘッドなどの要素を考慮して他の配置方式を採用してもよい。
【００５１】
以上のように、高優先度ＵＥのみにアシスタントアクセス情報を予備しておき、言い換えれば、図３中で衝突が発生したＵＥが高優先度ＵＥである場合だけに図３に示すアシスタントアクセス情報に基づくメッセージの流れを実行する。
【００５２】
また、高優先度ＵＥのランダムアクセスを速めるために、送受信ユニット１０２は、低優先度ＵＥと高優先度ＵＥとが含まれている複数のＵＥのランダムアクセス要求を受信した場合に（衝突せず一つずつ応答を行う必要がある）、高優先度ＵＥに対するランダムアクセス応答を優先して送信するように配置されてもよい。
【００５３】
高優先度ＵＥの一例として、上記ＵＥはＶ２Ｘユーザー機器である。３ＧＰＰ（第３世代移動体通信システムの標準化プロジェクト）標準に係る近接サービス（Ｐｒｏｘｉｍｉｔｙ−ｂａｓｅｄ  ｓｅｒｖｉｃｅ，ＰｒｏＳｅ）直接通信とは、ＵＥが直接に相互に通信を行うことができるモード（ＬＴＥ通信プロトコル及び相応伝送リソースに準じる）を指し、ＰｒｏＳｅ直接通信は、例えば、車両と相関実体との間に行われる通信（Ｖ２Ｘ通信）を含んでもよく、それは、例えば車車間通信（Ｖ２Ｖ）、路車間通信（Ｖ２Ｉ）、歩車間通信（Ｖ２Ｐ）の通信などを含んでもよく、Ｖ２Ｘ通信中の通信両方（例えば、車両）はＶ２Ｘユーザー機器と称する。
【００５４】
図７は、Ｖ２Ｖ応用シーンの概略的な例を示し、その中、車両Ａは、その周囲の車両例えば車両Ｂのセキュリティメッセージをブロードキャストする必要がある。ＵＥとしての車両Ａはリソースを取得して伝送する方式については、主に、１）基地局がＵＥにリソースを割り当てること、２）ＵＥがリソースプールにおいてリソースを自動に選択することの二種類を含む。第１の方式では、ＵＥは、まず、ＲＲＣ＿ＣＯＮＮＥＣＴＥＤ状態に入って要求し基地局がそれに割り当てたリソースを取得する必要があり、データ伝送を行う。第２の方式において，ＵＥはＲＲＣ＿ＣＯＮＮＥＣＴＥＤ状態に入ることを要せず、リソースを自動に選択するとデータ伝送を行う。Ｖ２Ｘセキュリティタイプサービスは高い遅れと信頼性を要求することに鑑み、好ましくは、第１の方式を選択する。本願のアシスタントアクセス情報を使用するランダムアクセスは、ランダムアクセス手順を短縮し、アクセスが成功する確率を高めることができ、従って、Ｖ２Ｘセキュリティタイプサービスに効果的に応用することができる。
【００５５】
ユーザー機器Ｖ２Ｘユーザー機器である場合に、上記第３のメッセージと第５のメッセージ中のアップリンクデータにはユーザー機器の位置情報（地理位置）がさらに含まれてもよい。
【００５６】
処理ユニット１０１（例えば、処理ユニット１０１における判断ユニット１００１）は、ＲＲＣ接続中であるＵＥの位置情報に応じて、前記安全情報ブロードキャストを受信する必要のあるＵＥを選択するように配置されてもよく、且つ送受信ユニット１０２は、ＲＲＣシグナリングにより、選択されたＵＥに当該前記安全情報ブロードキャストのリソース位置（時間周波数リソース位置）を通知してもよい。
【００５７】
例えば、図７を参照して、車両Ａは基地局へランダムアクセス要求を発信し、アクセスが成功し、又はアシスタントアクセス情報によりアクセスが成功し、同時に、第３のメッセージにおいて自体の位置情報を基地局へ報告する。処理ユニット１０１は、当該位置情報に応じてその周囲の一定の範囲内の車両を車両Ａが提供する前記安全情報ブロードキャストを受信する必要のあるＵＥとして確定し、そして、送受信ユニット１０２は、ＲＲＣシグナリングにより選択された車両に、車両Ａが提供する前記安全情報ブロードキャストのリソース位置を通知する。これらの車両は、続いて当該リソース位置に応じて相応する前記安全情報ブロードキャストを取得してもよい。これによって、ランダムアクセス手順において基地局は車両Ａの位置を取得してもよく（後続のインタラクションを要しない）、これにより、その通信対象をできるだけ早くアシストして確定することで、実際のＶ２Ｖの通信確立遅れを節約するようになる。
【００５８】
また、基地局は、システム情報をブロードキャストすることにより、前記安全情報ブロードキャストを受信する必要のあるＵＥを通知してもよく、システム情報には前記安全情報ブロードキャストを行うＵＥ（例えば車両Ａ）の位置情報と、それがブロードキャストするセキュリティ情報のリソース位置とが含まれている。この場合、ＲＲＣ＿ＩＤＬＥ状態にあるＵＥでも、これらの情報を受信することもでき、ブロードキャストＵＥの位置情報と、自体の位置情報とに応じて両方の間の距離を算出し、当該距離に応じて、当該前記安全情報ブロードキャストを受信する必要があるかどうかを判断し、例えば当該距離がある閾値よりも小さい場合だけ、受信する必要がある。もちろん、上記した二つの方式を組み合わせて使用してもよい。
【００５９】
従来のＬＴＥシステムにおいて、ＵＥはランダムアクセスを完成した後に基地局へスケジューリング要求（ＳＲ）を送信し、ＳＲにより基地局にデータを伝送する需要があるかどうかを報告する。基地局はＳＲを受信した後に、ＵＥに幾つかのアップリンクリソースを割り当てるかは、基地局の実現に依存し、一般的な仕方は、少なくとも、ＵＥがバッファ状態報告（ＢＳＲ）を送信するのに十分なリソースを割り当てる。ＵＥは、続いてＢＳＲにより基地局が伝送しようとするデータ量のサイズを報告する。最終的に、基地局はＵＥに十分なアップリンクリソースを割り当てる。
【００６０】
Ｖ２Ｘセキュリティサービスは当該方式を採用すると、前記安全情報ブロードキャストの前のリソース要求過程は、大きい遅れをきたす可能性がある。Ｖ２Ｘサービスの特別性によって、ブロードキャストのセキュリティ情報のデータ量は、一般、小さく、且つサイズが固定であるので、ＵＥがＶ２Ｘユーザー機器である場合に、ＲＲＣ接続確立コマンドには前記安全情報ブロードキャストのためのアップリンクリソーススケジューリングがさらに含まれてもよい。このように、Ｖ２Ｘ前記安全情報ブロードキャストの遅れを低減させることができる。
【００６１】
Ｖ２Ｘセキュリティタイプサービスについて、車両がネットワークカバー範囲内にある場合に、一般に、上記第１の方式のリソース取得方式を採用して、その通信の信頼性の要求確保するようにする。代わりの方式として、車両がネットワークカバー範囲内又はネットワークカバー範囲以外にある場合も、第２の方式のリソース取得方式を採用してもよい。図８に示すように、車両は自動に通信を行い、基地局による制御を要しない。デバイスはリソースプールにおいてリソースを自動に選択してデータ伝送を行うので、第２の方式のリソース取得方式は、通信の遅れの低減に有利であるが、セキュリティタイプサービスの信頼性の需要を確保し難い。
【００６２】
従って、第２の方式において、以下の通信の信頼性の最適化を行うことが可能であり、セキュリティタイプサービスのリソース衝突確率を低減することは肝心となる。
【００６３】
当該リソースプールは、リソース占用ブロードキャストに用いられる一つの共用スペクトルリソース、データ伝送のための一つの利用可能なリソース集合を含み、利用可能なリソース集合は同じ又は異なるサイズのリソースブロックに分割され、番号を付ける。ＵＥ例えば車両はセキュリティ情報をブロードキャストする必要がある場合に、そのリソース取得の流れは以下通りである：
１）ＵＥがそのデータ伝送需要に応じてリソースプールからデータ伝送リソースブロックを選択する。
２）ＵＥが共用スペクトルリソースでそのリソース占用報告情報をブロードキャストし、当該情報は少なくともそのＵＥ識別子及び占用したリソースブロック番号を含んでいる。
３）全てのＵＥは共用スペクトルリソースでのリソースがブロードキャストを占用することを継続してモニタリングする。他のＵＥが共用スペクトルリソースでブロードキャストしたリソース占用報告情報を受信した後に、それが当該リソースを使用していると、又は、一定の時間の前に他のＵＥからの当該リソースに対するリソース占用報告情報を受信すると、又は他のＵＥからの当該リソースで伝送する情報を受信すると、共用スペクトルリソースで占用拒否情報をブロードキャストし、当該情報は少なくとも占用されたリソースブロック番号を含んでいる。
４）ＵＥがそのリソース占用報告情報をブロードキャストした後に一定の時間範囲内に共用スペクトルリソースで他のＵＥからの占用拒否情報が存在するかどうかをモニタリングする。存在すると、リソースを新たに選択して上記操作を繰り返し、存在しないと選択したリソースを選択して前記安全情報ブロードキャストを行う。
５）他のＵＥは、同様に、他のＵＥからの占用拒否情報が存在するかどうかをモニタリングする。存在すると、一定の時間範囲内に、上記他のＵＥが前記安全情報ブロードキャストを要すると、占用拒否情報で報告するリソースブロックを選択することを回避し、存在しないと、相応するリソースブロックに前記安全情報ブロードキャストをモニタリングする。
【００６４】
また、基地局のカバー範囲内に、ＵＥは、基地局からのシステム情報ブロードキャストを受信することもできる。従って、基地局はセキュリティタイプサービスのために配置したリソースプールを周期的に更新することが可能である。以上、図８を参照して記述した通信の信頼性の最適化方式は、本願の、アシスタントアクセス情報に基づくランダムアクセスと独立して存在し、適当な場面に独立して応用する。
【００６５】
高優先度ＵＥとして他の一例として、ＵＥは、アンライセンス周波数帯域セルにアクセスすることを要求するＵＥであり、ランダムアクセス応答及び／又はコンテンション解決メッセージには、限定された、アンライセンス周波数帯域での伝送時間長さの情報と、当該初期伝送をスケジューリングするためのアップリンクリソースを指定する情報との少なくとも一つが含まれ、なお、当該初期伝送をスケジューリングするためのアップリンクリソースはプライマリセルのリソース又はアンライセンス周波数帯域セルのリソースである。
【００６６】
例えば、当該ＵＥがＬＡＡ（Ｌｉｃｅｎｓｅ  Ａｓｓｉｓｔｅｄ  Ａｃｃｅｓｓ）ユーザーである場合に、第３のメッセージは初期伝送をスケジューリングするものであり、第２のメッセージ（即ち、ランダムアクセス応答）において初期伝送をスケジューリングするためのアップリンクリソースの情報を指定してもよく、当該アップリンクリソースはプライマリセルのリソースであってもよく、アンライセンス周波数帯域セルのリソースであってもよく、ランダムアクセス応答中の指示に依存する。代わり／付加的に、コンテンション解決メッセージには、アンライセンス周波数帯域での伝送時間長さの限定がさらに含まれてもよく、これにより、ＵＥはアップリンクスケジューリング要求の送信を便宜的に行う。
【００６７】
アクセスしようとするものは独立して存在するアンライセンス周波数帯域セルである場合に、全てのＵＥは同じ優先度を有してもよく、同様にコンテンションが存在する。以上で記述された、アシスタントアクセス情報に基づく加速アクセスについても同様に適用する。
【００６８】
以上で高低優先度ＵＥの確定の例及び具体的応用シーンが記述されたが、本願はこれに限定せず、他の確定形態を採用して、他の適当なシーンに適用することも可能である。
【００６９】
＜第三の実施例＞
図９に、本願の一実施例による、無線通信のためのユーザー機器側の装置２００の構成ブロック図を示し、装置２００は、所定の配置情報に基づいてランダムアクセス要求を生成してコンテンションベースのアクセス手順を開始し、アクセスに失敗した場合に、基地局からのアシスタントアクセス情報に基づいて当該基地局とインタラクションしてアクセス手順を完成するように配置されている処理ユニット２０１を含んでいる。
【００７０】
類似して、処理ユニット２０１は、例えば、データ処理能力を有する中央処理装置（ＣＰＵ）、マイクロプロセッサ、集積回路モジュールなどであってもよい。なお、装置２００は一つの処理ユニット２０１を含んでもよいし、複数の処理ユニット２０１を含んでもよい。
【００７１】
さらに、処理ユニット２０１、別々の機能ユニットを含んで各種の異なる機能及び／又は操作を実行することができる。なお、これらの機能ユニットは、物理実体又は論理実体であってもよく、異なる名称のユニットは同一の物理実体により実現され得る。
【００７２】
例えば、図１０に示すように、処理ユニット２０１は、所定の配置情報に基づいてランダムアクセス要求を生成してコンテンションベースのアクセス手順を開始するように配置されているアクセス開始ユニット２００１と、アクセスに失敗した場合に、基地局からのアシスタントアクセス情報に基づいて当該基地局とインタラクションしてアクセス手順を完成するように配置されているインタラクションユニット２００２とを含んでいる。
【００７３】
上記のように、処理ユニット２０１は利用可能なランダムアクセスプリアンブルシーケンスと、ＰＲＡＣＨリソースとに基づいてランダムアクセス要求を生成し、他のＵＥと衝突が発生し且つアクセスに失敗した場合に、受信したアシスタントアクセス情報に基づいて基地局と継続してインタラクションしてアクセスを完成してもよい。
【００７４】
なお、類似して、アシスタントアクセス情報は、予め保留されたアクセス識別子情報と、アクセスに失敗したユーザー機器の後続のアップリンク伝送のためのアップリンクリソースグラント指示と、予め保留されたランダムアクセスプリアンブルシーケンスとの少なくとも一つを含んでもよい。
【００７５】
一例において、アシスタントアクセス情報は、最終的にアクセスに成功したユーザー機器に対する応答に含まれている。
【００７６】
ＬＴＥシステムにおけるＲＲＣ接続確立を例として、ＵＥはｅＮＢへランダムアクセス要求を送信し、ｅＮＢは、当該要求に応答してランダムアクセス応答を送信し、その中にＴＡ、ＵＥに割当てられたＴＣ−ＲＮＴＩ及びＭｓｇ．３に用いられるアップリンクリソースグラント指示が含まれ、ＵＥは、当該ランダムアクセス応答に基づいてＭｓｇ．３を送信し、その中にＵＥの一意識別子が含まれ、ｅＮＢはＭｓｇ．３を受信した後にＭｓｇ．４を送信し、その中にコンテンションが成功したＵＥの識別子が含まれている。二つ又は二つ以上のＵＥが同じプリアンブルシーケンスとＰＲＡＣＨ時間周波数リソースを使用してアクセスして衝突が発生した場合に、ｅＮＢは、アシスタントアクセス情報をコンテンション解決メッセージ及び／又はランダムアクセス応答メッセージに含んで、アクセスに失敗した可能性があるＵＥに用いられてもよい。対応するように、処理ユニット２０１（具体的に、例えば、処理ユニット２０１におけるインタラクションユニット２００２）は、ランダムアクセス要求に対するコンテンション解決メッセージ及び／又はランダムアクセス応答メッセージを解析してアシスタントアクセス情報を確定するように配置されてもよい。
【００７７】
また、図９中の破線枠に示すように、装置２００は、基地局へランダムアクセス要求を送信し、基地局からのランダムアクセス応答を受信し、ランダムアクセス応答に基づいて基地局へアップリンクデータを送信し、コンテンション解決メッセージを受信するように配置されている送受信ユニット２０２をさらに含んでいる。なお、図３中のメッセージの流れについては、ここで依然として適用できるが、装置２００がＵＥの中に位置し、簡明のために、第一と第二の実施例における関連する細部について、本実施例で重複しない。
【００７８】
処理ユニット２０１はコンテンション解決メッセージに基づいてＵＥのアクセスに失敗したと確定した場合に、送受信ユニット２０２は、さらに、予め保留されたアクセス識別子とアップリンクリソースグラントとを使用して基地局へ、ユーザー機器の一意識別子が含まれているアップリンクデータを送信するように配置されている。
【００７９】
基地局による当該アップリンクデータ（即ち、図３中の第５のメッセージ）の受信が成功したと、ＵＥへその一意識別子が含まれている第６のメッセージ、例えば、ＲＲＣ確立コマンドを送信する。しかし、上記のように、アップリンクデータを送信する際に使用するＴＡは前にアクセスに成功したＵＥに対して算出されたものであり、このＵＥに対して算出したものではないので、基地局は、送信したアップリンクデータを受信しない可能性があり、第６のメッセージをフィードバックすることがない。
【００８０】
図９中の破線枠に示すように、装置２００は、送受信ユニット２０２が予め保留されたアクセス識別子とアップリンクリソースグラントとを使用して基地局へアップリンクデータを送信する際にタイミングを開示し、送受信ユニット２０２が相応する、補正されたＴＡが含まれているＲＲＣ接続確立コマンドを受信した際に終止するように配置されているタイマー２０３をさらに含んでもよく、当該補正されたＴＡは、アクセスに失敗したＵＥに対するものであり、後続のデータ伝送に用いられてもよい。タイマーのタイミング時間長さが所定の値を超え且つ送受信ユニット２０２が相応するＲＲＣ接続確立コマンドを受信しない場合に、送受信ユニット２０２は、さらに、予め保留されたランダムアクセスプリアンブルシーケンスを使用して基地局へランダムアクセス要求を送信し、基地局からの、再算出された時間繰上げ量と後続のアップリンク伝送のためのアップリンクリソースグラント指示とが含まれているランダムアクセス応答を受信し、前記再算出された時間繰上げ量に応じて、予め保留されたアクセス識別子とアップリンクリソースグラントを使用して基地局へＲＲＣ接続確立要求を送信するように配置されている。言い換えれば、タイマーがタイムアウトした場合に、ＵＥは予め保留されたランダムアクセスプリアンブルシーケンスを使用してアクセスを新たに開始し、そして当該アクセスはリソースを予め保留されたので他のＵＥと再度衝突が発生せず、非コンテンションのアクセス手順である。
【００８１】
無線通信システムは高優先度ＵＥと低優先度ＵＥとを含んだ場合には、高優先度ＵＥのみがアシスタントアクセス情報に基づくランダムアクセスを実行するように設置してもよく、当該設置は基地局により実行され、即ち、基地局により衝突が発生したＵＥが高優先度ＵＥであるかどうかを判断し、ＵＥの自体により実行されてもよく、即ち、このＵＥが高優先度ＵＥである場合だけに、受信したアシスタントアクセス情報を使用して基地局とインタラクションして、さもなければ、従来技術のようにランダムアクセス手順を新たに開始する。
【００８２】
一例において、処理ユニット２０１（具体的に、例えば、処理ユニット２０１におけるアクセス開始ユニット２００１）は、ユーザー機器及び／又はそのアプリケーションのタイプに応じて当該ユーザー機器が高優先度ユーザー機器であるかどうかを確定するように配置されている。例えば、ＵＥの決済状況に応じて確定してもよく、又は高いリアルタイム性を要求するアプリケーションを実行するＵＥを高優先度ＵＥなどとする。
【００８３】
基地局が高・低優先度ＵＥを便宜的に区別できるために、ＵＥは例えばプリアンブルシーケンス、時間周波数リソース、ランダムアクセス要求などの送信により少なくとも一つの方面で設置してもよい。
【００８４】
一例として、処理ユニット２０１（例えばアクセス開始ユニット２００１）は、異なる優先度のユーザー機器のために異なるランダムアクセスプリアンブルシーケンスを確定するように配置されてもよい。そして、プリアンブルシーケンスとＵＥの優先度との間の対応関係は基地局に知られ、基地局は、ランダムアクセス要求中のプリアンブルシーケンスに応じて当該ＵＥが高優先度ＵＥであるかどうかを判断してもよい。例えば、処理ユニット２０１は、異なる優先度のユーザー機器に異なるルートシーケンス値を割り当てるように配置されてもよい。処理ユニット  ２０１は、さらに、異なる優先度のユーザー機器に異なるサイクリングシフトを割り当てるように配置されてもよい。なお、サイクリングシフトの配置に関する情報は、システム情報又は高レベルシグナリングに含まれてもよい。細部については、第二の実施例の説明を参照でき、ここで重複しない。
【００８５】
他の一例として、処理ユニット２０１は、異なる優先度のユーザー機器のためにランダムアクセス要求に用いられる異なる時間周波数リソースを確定するように配置されてもよい。異なる時間周波数リソースは異なるＲＡ−ＲＮＴＩに対応するので、基地局はこれに応じて当該ＵＥが高優先度ＵＥであるかどうかを判断することが可能である。
【００８６】
また、ランダムアクセス要求には、ユーザー機器が高優先度ユーザー機器であるかどうかを指示する情報ビットが含まれてもよい。基地局は、当該情報ビットを読み取ることで当該ＵＥが高優先度ＵＥであるであるかどうかを知る。
【００８７】
他の一例において、高優先度ＵＥのランダムアクセスをさらに速めるために、以下のように配置してもよく、即ち、処理ユニット２０１（例えばアクセス開始ユニット２００１）はＵＥが低優先度ＵＥであると確定し、且つＵＥはランダムアクセスに失敗した場合に、送受信ユニット２０２は、基地局によって設定された第１の所定のバックオフ時間の間、バックオフした後にランダムアクセス要求を再度送信するように配置され、及び／又はＵＥが高優先度ＵＥであり、ＵＥはランダムアクセスに失敗した場合に、送受信ユニット２０２は、基地局によって設定された第２の所定のバックオフ時間の間、バックオフした後に、ランダムアクセス要求を再度送信するように配置され、なお、第１の所定のバックオフ時間は長く第２の所定のバックオフ時間は短い。
【００８８】
高優先度ＵＥの一例として、ＵＥはＶ２Ｘユーザー機器であり、Ｖ２Ｘセキュリティサービスは良いリアルタイム性と通信信頼性とを要求する。
【００８９】
当該例において、ユーザー機器がＲＲＣ＿ＩＤＬＥ状態にある時間が所定の閾値を超えたことと、ユーザー機器が特定の領域（例えば事故が多く発生する領域など）に到達することとの少なくとも一つを満足した場合に、ブロードキャスト情報を要する送受信ユニット２０２はランダムアクセス要求を送信する。これは、セキュリティ情報をブロードキャストする必要があるＵＥ例えば車両がＲＲＣ＿ＩＤＬＥ状態にある場合に、ランダムアクセス手順が大きい遅れをきたす可能性があり、上記条件を設置することにより、ＵＥはセキュリティ情報をブロードキャストする必要がある際にＲＲＣ＿ＩＤＬＥ状態にある可能性を減少するためである。
【００９０】
以上のように、アップリンクデータには、ユーザー機器の位置情報を含んで、基地局はＵＥの位置情報を便宜的取得し当該位置情報に応じて前記安全情報ブロードキャストを受信する必要のあるＵＥを選択し、又は当該位置情報をブロードキャストするようにしてもよい。
【００９１】
一例において、送受信ユニット２０２は、さらに、基地局の、ブロードキャストを行うＶ２Ｘユーザー機器の位置情報と相応する前記安全情報ブロードキャストのリソース位置とが含んでいるブロードキャストシステム情報を受信するように配置されている。また、処理ユニット２０１（例えば、図中で図示しないと、例えば別途に確定ユニットを設置する）は、ＵＥの位置情報とブロードキャストを行うＶ２Ｘユーザー機器の位置情報とに応じて当該前記安全情報ブロードキャストを受信する必要があるかどうかを確定してもよい。装置２００が位置するＵＥはＲＲＣ＿ＩＤＬＥ状態にあり且つ前記安全情報ブロードキャストを受信する必要があっても、当該方式により相関情報を知ってさらに前記安全情報ブロードキャストを受信してもよい。
【００９２】
代わり／付加的に、送受信ユニット２０２は、基地局からの、ユーザー機器が的前記安全情報ブロードキャストを受信する必要のあるリソース位置が含まれているＲＲＣシグナリングを受信するように配置されてもよく、送受信ユニット２０２は、当該リソース位置で前記安全情報ブロードキャストを受信するように配置されている。当該方式において、基地局により前記安全情報ブロードキャストを受信する必要のあるＵＥを選択してＲＲＣシグナリングに送信する。
【００９３】
また、Ｖ２Ｘアプリケーションにおいてブロードキャストを要するセキュリティ情報のデータ量が短く相対固定であるので、ＲＲＣ接続確立コマンドには、前記安全情報ブロードキャストのためのアップリンクリソーススケジューリングがさらに含まれてもよい。このように、前記安全情報ブロードキャストの遅れはさらに減少される。
【００９４】
また、ＵＥも、アンライセンス周波数帯域で作動しているセルにアクセスすることを要求してもよい。この場合、ＵＥの優先度を区別しなくてもよいが、ＵＥの間にコンテンションも存在するので、上記したアシスタントアクセス情報に基づく加速アクセスの技術を応用することが可能である。アンライセンス周波数帯域の使用は非常にランダムで動的であるので、ランダムアクセス手順の加速は、その使用効率の向上に非常に有利である。そして、ランダムアクセス応答及び／又はコンテンション解決メッセージには、限定された、アンライセンス周波数帯域での伝送時間長さの情報及び初期伝送をスケジューリングするためのアップリンクリソースの情報との少なくとも一つが含まれてもよい。ランダムアクセス手順において相関情報の伝送を付加することにより、基地局はこれらの情報に応じて効果的スケジューリングを行うようにし、伝送の効率を向上させることが可能である。
【００９５】
ＬＡＡに応用する場合に、アンライセンス周波数帯域セルにアクセスすることを要求するＵＥは高優先度ＵＥであってもよい。同様に、ランダムアクセス応答及び／又はコンテンション解決メッセージには、限定されたアンライセンス周波数帯域での伝送時間長さの情報と、初期伝送をスケジューリングするためのアップリンクリソースを指定する情報との少なくとも一つが含まれ、当該初期伝送をスケジューリングするためのアップリンクリソースはプライマリセルのリソース又はアンライセンス周波数帯域セルのリソースである。
【００９６】
実施例による装置２００は、ＵＥがアクセスに失敗した際にアシスタントアクセス情報を利用して基地局と継続してインタラクションしてアクセス手順を完成するようにすることが可能であり、ランダムアクセスを速め、遅れを低減させるようになる。
【００９７】
＜第四の実施例＞
以上の実施形態で無線通信システムにおける基地局側とユーザー機器側の装置を記述する過程では、もちろん、幾つかの処理又は方法をさらに開示している。以下で、上記で検討された幾つかの細部を重複しない場合にこれらの方法の概略を与えるが、注意すべきこと、これらの方法は無線通信システムにおける基地局側とユーザー機器側の装置を記述する過程で開示されたが、これらの方法は必ず記述されたそれらの部品を採用する必要がある、又は必ずそれらの部品により実行される必要がない。例えば、無線通信システムにおける基地局側とユーザー機器側の装置の実施形態は、一部又は完全にハードウェア及び／又はファームウェアを使用して実現されることが可能であり、これらの方法は無線通信システムにおける基地局側とユーザー機器側の装置のハードウェア及び／又はファームウェアを採用することが可能であるにもかかわらず、以下で検討する方法は、コンピュータが実行可能なプログラムにより完全に実現されることが可能である。
【００９８】
図１１に、本願の一実施例による、無線通信システムにおける基地局側の方法のフローチャートを示す。図１１に示すように、当該は、ユーザー機器のランダムアクセス要求に応答して、当該ユーザー機器によって開始されたアクセス手順がコンテンションベース又は非コンテンションベースランダムアクセス手順であると確定し（Ｓ１１）、コンテンションベースのアクセス手順に対して、アクセスに失敗した可能性のあるユーザー機器にアシスタントアクセス情報を予備しておいて、当該アクセスに失敗したユーザー機器に基地局とアシスタントアクセス情報に基づいてインタラクションさせてアクセス手順を完成させる（Ｓ１２）ことを含む。
【００９９】
なお、アシスタントアクセス情報は、予め保留されたアクセス識別子情報と、アクセスに失敗したユーザー機器の後続のアップリンク伝送のためのアップリンクリソースグラント指示と、予め保留されたランダムアクセスプリアンブルシーケンスとの少なくとも一つを含んでもよい。
【０１００】
当該アシスタントアクセス情報は、最終的にアクセスに成功したユーザー機器に対する応答に含まれてもよい。
【０１０１】
一例において、ステップＳ１２には、ＵＥからのランダムアクセス要求を受信し、ＵＥへランダムアクセス応答を送信し、ランダムアクセス応答に基づくアップリンクデータを受信し、コンテンション解決メッセージを受信することが含まれてもよい。なお、アシスタントアクセス情報が含まれているコンテンション解決メッセージ及び／又はランダムアクセス応答メッセージを生成してもよい。
【０１０２】
ステップＳ１２には、コンテンション解決メッセージを送信した後にアクセスに失敗したユーザー機器が予め保留されたアクセス識別子とアップリンクリソースグラントを使用して送信した、アクセスに失敗したユーザー機器の一意識別子が含まれているアップリンクデータをモニタリングすることを含んでもよい。また、アクセスに失敗したユーザー機器の一意識別子により補正された時間繰上げ量が含まれているＲＲＣ接続確立コマンドを送信してもよい。
【０１０３】
上記のように、アップリンクデータを送信する際に使用するＴＡは、前にアクセスに成功したＵＥに対して算出したものでありアクセスに失敗したＵＥに対して算出するものではないので、ステップＳ１２において、アクセスに失敗したＵＥが送信したアップリンクデータをモニタリングしない可能性がある。また、所定の時間が経過した後に、アクセスに失敗したＵＥは、ＲＲＣ接続確立コマンドを受信しない場合に、予め保留されたプリアンブルシーケンスを使用して非コンテンションベースのアクセスを新たに開始する。
【０１０４】
無線通信システムは高優先度ユーザー機器及び低優先度ユーザー機器を含んでもよく、なお、ステップＳ１２において、ランダムアクセス要求を発信するユーザー機器が高優先度ユーザー機器であると確定した場合に、アクセスに失敗したユーザー機器にアシスタントアクセス情報を予備しておく。
【０１０５】
なお、ランダムアクセス要求中のランダムアクセスプリアンブルシーケンスと、ランダムアクセス要求中の、高優先度ユーザー機器であるかどうかを指示するための情報ビットと、ランダムアクセスプリアンブルシーケンスが位置する時間周波数リソースとの少なくとも一つに応じてランダムアクセスを行う相応するユーザー機器が高優先度ユーザー機器であるかどうかを確定してもよい。
【０１０６】
例えば、ランダムアクセス要求中のランダムアクセスプリアンブルシーケンスが特定のグループと属すると確定した場合に、相応するユーザー機器が高優先度ユーザー機器であると確定する。
【０１０７】
また、ランダムアクセスプリアンブルシーケンスが位置する時間周波数リソースに応じて相応するユーザー機器のＲＡ−ＲＮＴＩを算出し、当該ＲＡ−ＲＮＴＩに応じて相応するユーザー機器が高優先度ユーザー機器であるかどうかを確定してもよい。
【０１０８】
高優先度ＵＥのアクセスをさらに速めるために、低優先度ユーザー機器と高優先度ユーザー機器とが含まれている複数のユーザー機器のランダムアクセス要求を受信した場合に、高優先度ユーザー機器に対するランダムアクセス応答を優先して送信してもよい。
【０１０９】
また、異なる優先度のＵＥに異なるバックオフ時間を設置してもよい。例えば、低優先度ユーザー機器に第１の所定のバックオフ時間を設置して、当該低優先度ユーザー機器はアクセスに失敗した際に前記第１の所定のバックオフ時間の間、バックオフした後に、ランダムアクセス要求を再度送信するようにし、及び／又は高優先度ユーザー機器に第２の所定のバックオフ時間を設置し、当該高優先度ユーザー機器はアクセスに失敗した際に第２の所定のバックオフ時間の間、バックオフした後に、ランダムアクセス要求を再度送信するようにし、第１の所定のバックオフ時間は長く第２の所定のバックオフ時間は短い。
【０１１０】
一例として、ユーザー機器がアクセスを要求するものはアンライセンス周波数帯域で作動するセルである。
【０１１１】
アンライセンス周波数帯域セルにアクセスすることを要求するユーザー機器は高優先度ＵＥであってもよく、ランダムアクセス応答及び／又はコンテンション解決メッセージには、限定された、アンライセンス周波数帯域での伝送時間長さの情報と、初期伝送をスケジューリングするためのアップリンクリソースを指示する情報との少なくとも一つが含まれてもよく、なお、当該初期伝送をスケジューリングするためのアップリンクリソースはプライマリセルのリソース又はアンライセンス周波数帯域セルのリソースである。
【０１１２】
他の例として、高優先度ＵＥはＶ２Ｘユーザー機器であり、アップリンクデータにはユーザー機器の位置情報がさらに含まれている。
【０１１３】
なお、ＲＲＣ接続中であるユーザー機器の位置情報に応じて安全情報ブロードキャストを受信する必要のあるユーザー機器を選択し、ＲＲＣシグナリングにより選択されたユーザー機器に当該前記安全情報ブロードキャストのリソース位置を通知してもよい。また、ブロードキャストシステム情報により前記安全情報ブロードキャストを行ったＵＥの位置情報と、送信した前記安全情報ブロードキャストのリソース位置とを通知してもよい。
【０１１４】
当該例において、ＲＲＣ接続確立コマンドには、前記安全情報ブロードキャストのためのアップリンクリソーススケジューリングがさらに含まれてもよい。
【０１１５】
図１２に、本願による一実施例の無線通信システムにおけるユーザー機器側の方法を示し、所定の配置情報に基づいてランダムアクセス要求を生成してコンテンションベースのアクセス手順を開始し（Ｓ２１）、アクセスに失敗した場合に、基地局からのアシスタントアクセス情報と当該基地局インタラクションしてアクセス手順を完成する（Ｓ２２）ことを含む。
【０１１６】
なお、アシスタントアクセス情報には、予め保留されたアクセス識別子情報と、アクセスに失敗したユーザー機器の後続のアップリンク伝送のためのアップリンクリソースグラント指示と、予め保留されたランダムアクセスプリアンブルシーケンスとの少なくとも一つが含まれてもよい。アシスタントアクセス情報は、最終的にアクセスに成功したユーザー機器に対する応答に含まれても良い。例えば、Ｓ２２において、ランダムアクセス要求に対するコンテンション解決メッセージ及び／又はランダムアクセス応答メッセージを解析して当該アシスタントアクセス情報を確定してもよい。
【０１１７】
例えば、ステップＳ２２には、基地局へランダムアクセス要求を送信し、基地局からのランダムアクセス応答を受信し、ランダムアクセス応答に基づいて基地局へアップリンクデータを送信し、コンテンション解決メッセージを受信することを含む。コンテンション解決メッセージに基づいてユーザー機器のアクセスに失敗したと確定した場合に、ステップＳ２２には、予め保留されたアクセス識別子とアップリンクリソースグラントとを使用して基地局へユーザー機器の一意識別子が含まれているアップリンクデータを送信することをさらに含む。
【０１１８】
また、アップリンクデータを送信するとともに、タイマーにタイミングを開始させ、相応するＲＲＣ接続確立コマンドを受信した際に終止してもよい、なお、ＲＲＣ接続確立コマンドは補正された時間繰上げ量を含み、タイマーのタイミング時間長さが所定の値を超え且つ相応するＲＲＣ接続確立コマンドを受信しない場合に、ステップＳ２２には、予め保留されたランダムアクセスプリアンブルシーケンスを使用して基地局へランダムアクセス要求を送信し、基地局からの、再算出された時間繰上げ量と後続のアップリンク伝送のためのアップリンクリソースグラント指示とが含まれているランダムアクセス応答を受信し、当該再算出された時間繰上げ量に応じて、予め保留されたアクセス識別子とアップリンクリソースグラントとを使用して基地局へＲＲＣ接続確立要求を送信することをさらに含む。
【０１１９】
一例において、ステップＳ２１において、ユーザー機器及び／又はそのアプリケーションのタイプに応じてユーザー機器が高優先度ユーザー機器であるかどうかを確定してもよい。異なる優先度のユーザー機器のために異なるランダムアクセスプリアンブルシーケンスを確定してもよい。例えば、異なる優先度のユーザー機器に異なるルートシーケンス値を割り当て、又は異なる優先度のユーザー機器に異なるサイクリングシフトを配置する。なお、サイクリングシフトの配置に関する情報は、システム情報又は高レベルシグナリングに含まれてもよい。
【０１２０】
また、異なる優先度のユーザー機器にためにランダムアクセス要求に用いられる異なる時間周波数リソースを確定してもよい。
【０１２１】
ランダムアクセスプリアンブルシーケンスと時間周波数リソースとを区別しない場合に、ランダムアクセス要求にユーザー機器が高優先度ユーザー機器であるかどうかを指定する情報ビットを含んでもよい。
【０１２２】
高優先度ＵＥのアクセスをさらに速めるために、以下のように配置してもよく、即ち、ユーザー機器が低優先度ユーザー機器であり且つユーザー機器はランダムアクセスに失敗した場合に、基地局によって設定された第１の所定のバックオフ時間の間、バックオフした後にランダムアクセス要求を再度送信し、及び／又はユーザー機器が高優先度ユーザー機器であり且つユーザー機器はランダムアクセスに失敗した場合に、基地局によって設定された第２の所定のバックオフ時間の間、バックオフした後にランダムアクセス要求を再度送信し、第１の所定のバックオフ時間は長く第２の所定のバックオフ時間は短い。
【０１２３】
高優先度ＵＥの一例として、ユーザー機器はＶ２Ｘユーザー機器であり、且つユーザー機器がＲＲＣ＿ＩＤＬＥ状態にある時間が所定の閾値を超えたことと、ユーザー機器が特定の領域に到達することと、ブロードキャスト情報を要することとの少なくとも一つを満たした場合に、ステップＳ２１を実行してランダムアクセス要求を送信する。当該例において、アップリンクデータにはユーザー機器の位置情報がさらに含まれてもよい。
【０１２４】
ＵＥは基地局のブロードキャストを行うＶ２Ｘユーザー機器の位置情報と相応する前記安全情報ブロードキャストのリソース位置とが含まれているブロードキャストシステム情報を受信してもよい。例えば、ユーザー機器の位置情報とブロードキャストを行うＶ２Ｘユーザー機器の位置情報とに応じて当該前記安全情報ブロードキャストを受信する必要のあるかどうかを確定してもよい。
【０１２５】
また、ＵＥは、基地局からの、ユーザー機器が前記安全情報ブロードキャストを受信する必要のあるリソース位置が含まれているＲＲＣシグナリングを受信してもよく、ＵＥは当該リソース位置で前記安全情報ブロードキャストを受信する。
【０１２６】
当該例において、ＲＲＣ接続確立コマンドには、前記安全情報ブロードキャストのためのアップリンクリソーススケジューリングがさらに含まれてもよい。
【０１２７】
なお、上記それぞれの方法は、組合せ又は独立して使用されることが可能であり、その細部については、第一乃至第三の実施例に詳細に記述されたので、ここで重複しない。
【０１２８】
また、以上の記述において、装置１００を含む基地局と、装置２００を含むユーザー機器とを含む通信システムをさらに開示している。
【０１２９】
本開示内容の技術は各種の製品に応用できる。例えば、基地局は、任意のタイプの進化型ノードＢ（ｅＮＢ）、例えばマクロｅＮＢとスモールｅＮＢとして実現されることが可能である。スモールｅＮＢはマクロセルより小さいセルをカバーするｅＮＢ、例えばピコファラドｅＮＢ、マイクロｅＮＢ、ホーム（フェムト）ｅＮＢであってもよい。その代わりに、基地局は、任意の他のタイプの基地局、例えばＮｏｄｅＢとベーストランシーバ基地局（ＢＴＳ）として実現されることが可能である。基地局は、無線通信を制御するように配置される本体（基地局デバイスとも称する）と、本体と異なる箇所に設置される一つ又は複数のリモート無線ヘッド（ＲＲＨ）とを含んでもよい。また、各種のタイプの端末は、いずれも、基地局機能を一時又は半恒久的に実行することにより基地局として作動することが可能である。
【０１３０】
例えば、ユーザー機器は、例えば、移動端末（例えばスマートフォン、タブレットパソコンコンピュータ（ＰＣ）、ノートＰＣ、携帯型ゲーム端末、携帯型／ウオッチドッグ型移動ルータとデジタル撮像装置）又は車載端末（例えば自動車ナビゲーション装置）として実現されることが可能である。ＵＥは、マシンツーマシン（Ｍ２Ｍ）通信を実行する端末（マシン型通信（ＭＴＣ）端末とも称する）として実現されることも可能である。また、ＵＥは、上記端末における端末ごとに取り付けられた無線通信モジュール（例えば単一のチップを含む集積回路モジュール）であってもよい。
【０１３１】
［基地局の応用例について］
（第一の応用例）
図１３は、本開示の技術を応用できるｅＮＢの概略的な構成の第一の例を示すブロック図である。ｅＮＢ  ８００は、ｅＮＢ８００は、一つ又は複数のアンテナ８１０及び基地局デバイし８２０を含む。基地局デバイス８２０と各アンテナ８１０はＲＦケーブルを介して互いに接続され得る。
【０１３２】
アンテナ８１０の各々は、単一の又は複数のアンテナ素子（例えば、多入力多出力（ＭＩＭＯ）アンテナに含まれる複数のアンテナ素子）を含み、基地局デバイス８２０による無線信号の送受信のために用いられる。ｅＮＢ８００は、図１３に示すように複数のアンテナ８１０を含んでもよい。例えば、複数のアンテナ８１０はｅＮＢ８００が使用する複数の周波数帯域に共用してもよい。なお、図１３にはｅＮＢ８００が複数のアンテナ８１０を含む例を示したが、ｅＮＢ８００は単一のアンテナ８１０を含んでもよい。
【０１３３】
基地局デバイス８２０は、コントローラ８２１、メモリ８２２、ネットワークインタフェース８２３、及び無線通信インタフェース８２５を含む。
【０１３４】
コントローラ８２１は、例えばＣＰＵ又はＤＳＰであってよく、基地局デバイス８２０の上位レイヤの様々な機能を操作する。例えば、コントローラ８２１は、無線通信インタフェース８２５により処理された信号内のデータからデータパケットを生成し、生成したパケットをネットワークインタフェース８２３を介して転送する。コントローラ８２１は、複数のベースバンドプロセッサからのデータをバンドリングすることによりバンドルドパケットを生成し、生成したバンドルドパケットを転送してもよい。また、コントローラ８２１は、無線リソース管理、無線ベアラ制御、移動性管理、流入制御、及びスケジューリングのような制御を実行する論理的な機能を有してもよい。また、当該制御は、周辺のｅＮＢ又はコアネットワークノードと連携して実行されてもよい。メモリ８２２は、ＲＡＭ及びＲＯＭを含み、コントローラ８２１により実行されるプログラム、及び様々な制御データ（例えば、端末リスト、伝送電力データ及びスケジューリングデータ）を記憶する。
【０１３５】
ネットワークインタフェース８２３は基地局デバイス８２０をコアネットワーク８２４に接続するための通信インタフェースである。コントローラ８２１はネットワークインタフェース８２３を介してコアネットワークノード又は他のｅＮＢと通信してもよい。この場合、ｅＮＢ８００とコアネットワークノード又は他のｅＮＢとはロジックインタフェース（例えばＳ１インタフェースとＸ２インタフェース）により互いに接続される。ネットワークインタフェース８２３は有線通信インタフェース、又は無線バックホールのための無線通信インタフェースであってもよい。ネットワークインタフェース８２３が無線通信インタフェースであると、ネットワークインタフェース８２３は無線通信インタフェース８２５により使用される周波数帯域よりも高い周波数帯域を無線通信に使用してもよい。
【０１３６】
無線通信インタフェース８２５は、任意のセルラー通信方式（例えば、ＬＴＥ（Ｌｏｎｇ  Ｔｅｒｍ  Ｅｖｏｌｕｔｉｏｎ）、ＬＴＥ−Ａｄｖａｎｃｅｄ）をサポートし、アンテナ８１０を介して、ｅＮＢ８００のセル内に位置する端末までの無線接続を提供する。無線通信インタフェース８２５は、一般、ベースバンド（ＢＢ）プロセッサ８２６及びＲＦ回路８２７を含んでもよい。ＢＢプロセッサ８２６は、例えば、符号化／復号化、変調／復調及び多重化／逆多重化を実行し、且つレイヤ（例えばＬ１、媒体アクセス制御（ＭＡＣ）、無線リンク制御（ＲＬＣ）、パケットデータ収束プロトコル（ＰＤＣＰ））の様々な信号処理を実行してもよい。コントローラ８２１の代わりに、ＢＢプロセッサ８２６は上記論理機能の一部又は全部を有してもよい。ＢＢプロセッサ８２６は通信制御プログラムを記憶するメモリであってもよく、又はプログラムを実行するように配置されるプロセッサ及び関連する回路を含むモジュールであってもよい。ＢＢプロセッサ８２６の機能はプログラムの更新により変更可能であってもよい。当該モジュールは基地局デバイス８２０のスロットに挿入されるカード若しくはブレードであってもよい。代わりに、当該モジュールはカード若しくはブレードに挿入されるチップであってもよい。一方、ＲＦ回路８２７は例えばミキサ、フィルタ及びアンプを含んでもよく、アンテナ８１０を介して無線信号を送受信する。
【０１３７】
図１３に示すように、無線通信インタフェース８２５は複数のＢＢプロセッサ８２６を含んでもよい。例えば、複数のＢＢプロセッサ８２６はｅＮＢ  ８００が使用する複数の周波数帯域に共用されてもよい。図１３に示すように、無線通信インタフェース８２５は複数のＲＦ回路８２７を含んでもよい。例えば、複数のＲＦ回路８２７は複数のアンテナ素子に共用されてもよい。図１３は無線通信インタフェース８２５に複数のＢＢプロセッサ８２６と複数のＲＦ回路８２７とを含む例を示したが、無線通信インタフェース８２５は単一のＢＢプロセッサ８２６又は単一のＲＦ回路８２７を含んでもよい。
【０１３８】
（第二の応用例）
図１４は本開示の内容の技術を応用できるｅＮＢの概略的な構成の第二の例を示すブロック図である。ｅＮＢ８３０は一つ又複数のアンテナ８４０と、基地局デバイス８５０と、ＲＲＨ８６０とを含む。ＲＲＨ８６０は各アンテナ８４０とＲＦケーブルケーブルを介して互いに接続されてもよい。基地局デバイス８５０とＲＲＨ  ８６０は例えば光ファイバケーブルの高速回線で互いに接続されてもよい。
【０１３９】
アンテナ８４０の各々は、単一の又は複数のアンテナ素子（例えば、ＭＩＭＯアンテナに含まれる複数のアンテナ素子）を含み、ＲＲＨ８６０による無線信号の送受信のために用いられる。図１４に示すように、ｅＮＢ８３０は複数のアンテナ８４０を含んでもよい。例えば、複数のアンテナ８４０はｅＮＢ８３０が使用する複数の周波数帯域に共用されてもよい。図１４はｅＮＢ８３０が複数のアンテナ８４０を含む例を示したが、ｅＮＢ８３０は単一のアンテナ８４０を含んでもよい。
【０１４０】
基地局デバイス８５０は、コントローラ８５１、メモリ８５２、ネットワークインタフェース８５３、無線通信インタフェース８５５、及び接続インタフェース８５７を含む。コントローラ８５１、メモリ８５２、及びネットワークインタフェース８５３は図１３を参考して記述されたコントローラ８２１、メモリ８２２、及びネットワークインタフェース８２３と同じである。
【０１４１】
無線通信インタフェース８５５は任意のセルラー通信方式（例えばＬＴＥ、ＬＴＥ−Ａｄｖａｎｅｅｄ）をサポートし、ＲＲＨ８６０とアンテナ８４０とを介してＲＲＨ８６０に対応するセクタ内に位置する端末までの無線接続を提供する。無線通信インタフェース８５５は、一般、例えばＢＢプロセッサ８５６を含んでもよい。ＢＢプロセッサ８５６が接続インタフェース８５７を介してＲＲＨ８６０のＲＦ回路８６４と接続されることを除き、ＢＢプロセッサ８５６は図１３を参考して記述されたＢＢプロセッサ８２６と同じである。図１４に示すように、無線通信インタフェース８５５は複数のＢＢプロセッサ８５６を含んでもよい。例えば、複数のＢＢプロセッサ８５６はｅＮＢ  ８３０が使用する複数の周波数帯域に共用されてもよい。図１４は無線通信インタフェース８５５が複数のＢＢプロセッサ８５６を含む例を示したが、無線通信インタフェース８５５は単一のＢＢプロセッサ８５６を含んでもよい。
【０１４２】
接続インタフェース８５７は基地局デバイス８５０（無線通信インタフェース８５５）をＲＲＨ８６０に接続するためのインタフェースである。接続インタフェース８５７は基地局デバイス８５０（無線通信インタフェース８５５）をＲＲＨ８６０と接続する上記高速回線での通信のための通信モジュールであってもよい。
【０１４３】
ＲＲＨ８６０は接続インタフェース８６１と無線通信インタフェース８６３とを含む。
【０１４４】
接続インタフェース８６１はＲＲＨ８６０（無線通信インタフェース８６３）を基地局デバイス８５０に接続するためのインタフェースである。接続インタフェース８６１は上記高速回線での通信のための通信モジュールであってもよい。
【０１４５】
無線通信インタフェース８６３は、アンテナ８４０を介して無線信号を送受信する。無線通信インタフェース８６３は、一般、例えばＲＦ回路８６４を含んでもよい。ＲＦ回路８６４は、例えばミキサ、フィルタ及びアンプなどを含んでもよく、アンテナ８４０を介して無線信号を送受信する。図１４に示すように、無線通信インタフェース８６３は複数のＲＦ回路８６４を含んでもよい。例えば、複数のＲＦ回路８６４は複数のアンテナ素子をサポートしてもよい。図１４は無線通信インタフェース８６３が複数のＲＦ回路８６４を含む例を示したが、無線通信インタフェース８６３は単一のＲＦ回路８６４を含んでもよい。
【０１４６】
図１３と図１４に示すｅＮＢ８００とｅＮＢ８３０とにおいて、例えば図１で記述される送受信ユニット１０２は無線通信インタフェース８２５及び無線通信インタフェース８５５及び／又は無線通信インタフェース８６３により実現されてもよい。機能の少なくとも一部はコントローラ８２１とコントローラ８５１により実現されてもよい。例えば、コントローラ８２１とコントローラ８５１は、処理ユニット１０１の機能を実行することによりランダムアクセス手順の加速を実行してもよい。
【０１４７】
［ユーザー機器の応用例について］
（第一の応用例）
図１５は、本開示の内容の技術を応用できるスマートフォン９００の概略的な構成の一例を示すブロック図である。スマートフォン９００は、プロセッサ９０１、メモリ９０２、記憶装置９０３、外部接続インタフェース９０４、撮像装置９０６、センサ９０７、マイクロフォン９０８、入力装置９０９、表示装置９１０、スピーカ９１１、無線通信インタフェース９１２、一つ又は複数のアンテナスイッチ９１５、一つ又は複数のアンテナ９１６、バス９１７、バッテリー９１８、及び補助コントローラ９１９を含む。
【０１４８】
プロセッサ９０１は、例えばＣＰＵ又はＳｏＣ（Ｓｙｓｔｅｍ  ｏｎ  Ｃｈｉｐ）であってもよく、スマートフォン９００のアプリケーションレイヤ及びその他のレイヤの機能を制御する。メモリ９０２はＲＡＭとＲＯＭを含み、データと、プロセッサ９０１により実行されるプログラムを記憶する。記憶装置９０３は記憶媒体、例えば半導体メモリ又はハードディスクを含んでもよい。外部接続インタフェース９０４は、外部装置（例えばメモリカード又はＵＳＢ（Ｕｎｉｖｅｒｓａｌ  Ｓｅｒｉａｌ  Ｂｕｓ）デバイス）をスマートフォン９００に接続するためのインタフェースである。
【０１４９】
撮像装置９０６が画像センサ（例えばＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ））を含み、撮像画像を生成する。センサ９０７は例えば、測定センサ、ジャイロセンサ、地磁気センサ及び加速度センサなどのセンサ群を含みんでもよい。マイクロフォン９０８はスマートフォン９００に入力される音声を音声信号に変換する。入力装置９０９は例えば表示装置９１０のスクリーン上のタッチを検出するように配置されるタッチセンサ、キーパッド、キーボード、ボタン又はスイッチを含み、ユーザーから入力される操作又は情報を受信する。表示装置９１０はスクリーン（例えば液晶ディスプレイ（ＬＣＤ）、有機発光ダイオード（ＯＬＥＤ）ディスプレイ）を含み、スマートフォン９００の出力画像を表示する。スピーカ９１１はスマートフォン９００から出力される音声信号を音声に変換する。
【０１５０】
無線通信インタフェース９１２は任意のセルラー通信方式（例えばＬＴＥ、ＬＴＥ−Ａｄｖａｎｃｅｄ）をサポートし、無線通信を実行する。無線通信インタフェース９１２は、一般に、例えばＢＢプロセッサ９１３とＲＦ回路９１４とを含んでもよい。ＢＢプロセッサ９１３は例えば符号化／復号化、変調／復調及び多重化／逆多重化を実行してもよく、無線通信のための様々な信号処理を実行する。一方、ＲＦ回路９１４は例えばミキサ、フィルタ及びアンプを含んでもよく、アンテナ９１６を介して無線信号を送受信する。無線通信インタフェース９１２はＢＢプロセッサ９１３とＲＦ回路９１４を集積したワンチップのモジュールであってもよい。図１５に示すように、無線通信インタフェース９１２は複数のＢＢプロセッサ９１３と複数のＲＦ回路９１４を含んでもよい。図１５は無線通信インタフェース９１２が複数のＢＢプロセッサ９１３と複数のＲＦ回路９１４を含む例を示したが、無線通信インタフェース９１２は単一のＢＢプロセッサ９１３又は単一のＲＦ回路９１４を含んでもよい。
【０１５１】
また、セルラー通信方式を除き、無線通信インタフェース９１２は他の種類の無線通信方式、例えば近距離無線通信方式、近接無線通信方式又は無線ＬＡＮ（Ｌｏｃａｌ  Ａｒｅａ  Ｎｅｔｗｏｒｋ）方案をサポートしてもよく。この場合、無線通信インタフェース９１２は無線通信方式ごとのＢＢプロセッサ９１３とＲＦ回路９１４を含んでもよい。
【０１５２】
アンテナスイッチ９１５の各々は、無線通信インタフェース９１２に含まれる複数の回路（例えば、異なる無線通信方式のための回路）の間でアンテナ９１６の接続先を切り替える。
【０１５３】
アンテナ９１６の各々は単一の又は複数のアンテナ素子（例えば、ＭＩＭＯアンテナに含まれる複数のアンテナ素子）を含み、無線通信インタフェース９１２によるによる無線信号の送受信のために用いられる。図１５に示すように、スマートフォン９００は複数のアンテナ９１６を含んでもよい。図１５はスマートフォン９００が複数のアンテナ９１６を含む例を示したが、スマートフォン９００は単一のアンテナ９１６を含んでもよい。
【０１５４】
また、スマートフォン９００は無線通信方式ごとにアンテナ９１６を含んでもよい。この場合、アンテナスイッチ９１５はスマートフォン９００の構成から省略されてもよい。
【０１５５】
バス９１７は、プロセッサ９０１、メモリ９０２、記憶装置９０３、外部接続インタフェース９０４、撮像装置９０６、センサ９０７、マイクロフォン９０８、入力装置９０９、表示装置９１０、スピーカ９１１、無線通信インタフェース９１２及び補助コントローラ９１９を互いに接続する。バッテリー９１８は図中に破線で部分的に示した支線を介して図１５に示すスマートフォン９００の各ブロックに電力を供給する。補助コントローラ９１９は例えば、スリープモードにおいて、スマートフォン９００の必要最低限の機能を動作させる。
【０１５６】
図１５に示すスマートフォン９００において、例えば図９に記述の送受信ユニット２０２は無線通信インタフェース９１２により実現されてもよい。機能の少なくとも一部がプロセッサ９０１又は補助コントローラ９１９により実現されてもよい。例えば、プロセッサ９０１又は補助コントローラ９１９は、処理ユニット２０１とタイマー２０３との機能を実行することによりアシスタントアクセス情報に基づくランダムアクセスを実行してもよい。
【０１５７】
（第二の応用例）
図１６は本開示の内容の技術を応用できるカーナビゲーション装置９２０の概略的な構成の一例を示すブロック図である。カーナビゲーション装置９２０は、プロセッサ９２１、メモリ９２２、ＧＰＳ（Ｇｌｏｂａｌ  Ｐｏｓｉｔｉｏｎｉｎｇ  Ｓｙｓｔｅｍ）モジュール９２４、センサ９２５、データインタフェース９２６、コンテンツプレーヤ９２７、記憶媒体インタフェース９２８、入力装置９２９、表示装置９３０、スピーカ９３１、無線通信インタフェース９３３、一つ又は複数のアンテナスイッチ９３６、一つ又は複数のアンテナ９３７及びバッテリー９３８を含む。
【０１５８】
プロセッサ９２１は例えばＣＰＵ又はＳｏＣであってもよく、カーナビゲーション装置９２０のナビゲーション機能及びその他の機能を制御する。メモリ９２２はＲＡＭとＲＯＭを含み、データと、プロセッサ９２１により実行されるプログラムを記憶する。
【０１５９】
ＧＰＳモジュール９２４はＧＰＳ衛星から受信されるＧＰＳ信号を用いて、カーナビゲーション装置９２０の位置（例えば、緯度、経度及び高度）を測定する。センサ９２５は、例えば、ジャイロセンサ、地磁気センサ及び気圧センサのようなセンサ群を含んでもよい。データインタフェース９２６は、図示しない端末を介して例えば、車載ネットワーク９４１に接続され、車両側で生成されるデータ（例えば車速データ）を取得する。
【０１６０】
コンテンツプレーヤ９２７は記憶媒体インタフェース９２８に挿入される記憶媒体（例えば、ＣＤ又はＤＶＤ）に記憶されているコンテンツを再生する。入力装置９２９は例えば表示装置９３０のスクリーン上のタッチを検出するように配置されるタッチセンサ、ボタン又はスイッチを含み、ユーザーから入力される操作又は情報を受信する。表示装置９３０は例えばＬＣＤ又はＯＬＥＤディスプレイのスクリーンを含み、ナビゲーション機能の画像又は再生されるコンテンツを表示する。スピーカ９３１は、ナビゲーション機能の音声又は再生されるコンテンツを出力する。
【０１６１】
無線通信インタフェース９３３は任意のセルラー通信方式（例えばＬＴＥ、ＬＴＥ−Ａｄｖａｎｃｅｄ）をサポートし、無線通信を実行する。無線通信インタフェース９３３は、一般に、例えばＢＢプロセッサ９３４とＲＦ回路９３５とを含んでもよい。ＢＢプロセッサ９３４は例えば符号化／復号化、変調／復調及び多重化／逆多重化を実行してもよく、無線通信のための様々な信号処理を実行してもよい。一方、ＲＦ回路９３５は例えばミキサ、フィルタ及びアンプを含んでもよく、アンテナ９３７を介して無線信号を送受信する。無線通信インタフェース９３３はＢＢプロセッサ９３４とＲＦ回路９３５を集積したワンチップのモジュールであってもよい。図１６に示すように、無線通信インタフェース９３３は複数のＢＢプロセッサ９３４と複数のＲＦ回路９３５を含んでもよい。図１６は無線通信インタフェース９３３が複数のＢＢプロセッサ９３４と複数のＲＦ回路９３５を含む例を示したが、無線通信インタフェース９３３は単一のＢＢプロセッサ９３４又は単一のＲＦ回路９３５を含んでもよい。
【０１６２】
また、セルラー通信方式を除き、無線通信インタフェース９３３は他の種類の無線通信方式、例えば、近距離無線通信方式、近接無線通信方式又は無線ＬＡＮ方式をサポートしてもよい。この場合、無線通信方式ごと，無線通信インタフェース９３３はＢＢプロセッサ９３４とＲＦ回路９３５を含んでもよい。
【０１６３】
アンテナスイッチ９３６の各々は、無線通信インタフェース９３３に含まれる複数の回路（例えば、異なる無線通信方式のための回路）の間でアンテナ９３７の接続先を切り替える。
【０１６４】
アンテナ９３７中の各々は、単一の又は複数のアンテナ素子（例えば、ＭＩＭＯアンテナに含まれる複数のアンテナ素子）を含み、無線通信インタフェース９３３による無線信号の送受信のために用いられる。図１６に示すように、カーナビゲーション装置９２０は複数のアンテナ９３７を含んでもよい。図１６はカーナビゲーション装置９２０が複数のアンテナ９３７を含む例を示したが、カーナビゲーション装置９２０は単一のアンテナ９３７を含んでもよい。
【０１６５】
また、カーナビゲーション装置９２０は無線通信方式ごとにアンテナ９３７を含んでもよい。この場合、アンテナスイッチ９３６はカーナビゲーション装置９２０の構成から省略されてもよい。
【０１６６】
バッテリー９３８は、図中に破線で部分的に示した支線を介して、図１６に示したカーナビゲーション装置９２０の各ブロックに電力を供給する。また、バッテリー９３８は、車両側から給電される電力を蓄積する。
【０１６７】
図１６に示すカーナビゲーション装置９２０において、例えば図９に記述された送受信ユニット２０２は無線通信インタフェース９３３により実現されてもよい。その機能の少なくとも一部はプロセッサ９２１により実現されてもよい。例えば、プロセッサ９２１は、処理ユニット２０１とタイマー２０３との機能を実行することによりアシスタントアクセス情報に基づくランダムアクセスを実行する。
【０１６８】
本開示の内容の技術は、カーナビゲーション装置９２０と、車載ネットワーク９４１と、車両モジュール９４２との１つ又は複数のブロックを含む車載システム（又は車両）９４０として実現されてもよい。車両モジュール９４２は車両データ（例えば車速、エンジン回転数、故障情報）を生成し、生成したデータを車載ネットワーク９４１に出力する。
【０１６９】
以上で具体的実施例に基づいて本発明の基本的原理を記述したが、指摘すべきことは、当業者にとって、本発明の方法と装置の全部又は任意のステップ或いは部品について、任意の算出装置（プロセッサー、記憶媒体などを含む）又は算出装置のネットワークにおいて、ハードウェア、ファームウェア、ソフトウェア又はその組み合わせで実現することが理解され、これは、当業者が本発明の記述を読んだ場合にその基本的回路設計知識又は基本的プログラミング技能を利用して実現されるものである。
【０１７０】
当業者は、以上で説明した装置のうち例えば近接アクセスアクセスポイント情報取得ユニット、判断ユニット、アシスタント配置ユニット、作動パラメーター配置ユニットなどは一つ又は複数のプロセッサにより実現されてもよく、例えば通知ユニットなどは、アンテナ、フィルタ、モデム及びコーデックなどの回路デバイスにより実現されてもよいと理解される。
【０１７１】
従って、本発明は、電子機器  （１）を提出し、ユーザー機器のランダムアクセス要求に応答して、当該ユーザー機器によって開始されたアクセス手順がコンテンションベース又は非コンテンションベースランダムアクセス手順であるかを確定し、コンテンションベースのアクセス手順に対して、アクセスに失敗した可能性のあるユーザー機器にアシスタントアクセス情報を予備しておいて、当該アクセスに失敗したユーザー機器に基地局とアシスタントアクセス情報に基づいてインタラクションさせてアクセス手順を完成させるようにするように配置されている回路を含んでいる。
【０１７２】
本発明は、電子機器（２）を提出し、所定の配置情報に基づいてランダムアクセス要求を生成してコンテンションベースのアクセス手順を開始し、アクセスに失敗した場合に、基地局からのアシスタントアクセス情報に基づいて当該基地局とインタラクションしてアクセス手順を完成するように配置されている回路を含んでいる。
【０１７３】
本発明は、機器読み取り可能なコマンドコードが記憶されたプログラム製品をさらに提出する。上記コマンドコードが機器に読み取られて実行される場合に、上記の本発明の実施例による方法を実行できる。
【０１７４】
これに対応して、上記の機器読み取り可能なコマンドコードが記憶されたプログラム製品がロードされた記憶媒体も本発明の開示に含まれる。上記記憶媒体は、フロッピーディスク、光ディスク、光磁気ディスク、メモリカード、メモリスティックを含むが、これらに限定されない。
【０１７５】
ソフトウェア或いはファームウェアで実現する場合、記憶媒体或いはネットワークから専用ハードウェア構造を有するコンピュータ（例えば図１７に示す汎用パーソナルコンピューター１７００）に当該ソフトウェアを構成するプログラムをインストールし、当該コンピュータは各種のプログラムがインストールされている場合、各種の機能等を実行できる。
【０１７６】
図１７において、演算処理ユニット（ＣＰＵ）１７０１は、読取専用メモリ（ＲＯＭ）１７０２に記憶されているプログラム或いは記憶部１７０８からランダムアクセスメモリ（ＲＡＭ）１７０３にロードしたプログラムに基づいて各種の処理を実行する。ＲＡＭ１７０３にも、必要に応じてＣＰＵ１７０１が各種の処理等を実行する際に必要なデータが記憶される。ＣＰＵ１７０１、ＲＯＭ１７０２、ＲＡＭ１７０３はバス１７０４を介して互いに接続されている。入力／出力インタフェース１７０５もバス１７０４に接続されている。
【０１７７】
入力部１７０６（キーボード、マウス等を含む）、出力部１７０７（ディスプレイ、例えば陰極線管（ＣＲＴ）、液晶ディスプレイ（ＬＣＤ）等、スピーカ等を含む）、記憶部１７０８（ハードディスク等を含む）、通信部１７０９（ネットワークインターフェースカード例えばＬＡＮカード、モデム等を含む）は入力／出力インタフェース１７０５に接続される。通信部１７０９は、ネットワーク、例えばインターネットを介して通信処理を実行する。必要に応じて、ドライバー１７１０も入力／出力インタフェース１７０５に接続される。リムーバブルメディア１７１１、例えばディスク、光ディスク、光磁気ディスク、半導体メモリ等は、必要に応じてドライバー１７１０に装着され、その中から読み出したコンピュータプログラムが必要に応じて記憶部１７０８にインストールされるようにする。
【０１７８】
ソフトウェアで上記一連の処理を実現する場合、ネットワーク、例えばインターネット或いは記憶装置、例えばリムーバブルメディア１７１１からソフトウェアを構成するプログラムをインストールする。
【０１７９】
当業者であれば、この種の記憶媒体は、図１７に示す、その中にプログラムが記憶され装置に別途配分してユーザーにプログラムを提供するリムーバブルメディア１７１１に限定されないことが理解される。リムーバブルメディア１７１１の例は、磁気ディスク（フロッピーディスク（登録商標））、光ディスク（光ディスク読取専用メモリ（ＣＤ−ＲＯＭ）とデジタル多用途ディスク（ＤＶＤ）を含む）、光磁気ディスク（ミニディスク（ＭＤ）（登録商標）を含む）、半導体メモリを含む。又は、記憶媒体は、ＲＯＭ１７０２、記憶部１７０８に含まれるハードディスク等であってもよく、その中にプログラムが記憶され、且つこれらを含む装置とともにユーザーに配分される。
【０１８０】
指摘すべきことは、本発明の装置、方法及びシステムにおいて、各部品又は各ステップは分割及び／又は再組み合わせることが可能である。これらの分割及び／又は再組み合わせは本発明の等価方案と見なすべきである。そして、上記一連の処理を実行するステップは、説明の順で時間順に従って実行されることがあるが、必ず時間順に従う必要がない。あるステップは並行又は独立に実行されることが可能である。
【０１８１】
最後、なお、用語の「含む」又はその任意の変化は、非排他的包含を含むことを意味することにより、一連の要素を含むプロセス、方法、物品又はデバイスはその要素を含むだけでなく、明確に挙げない他の要素を含むか、又はこのようなプロセス、方法、物品又はデバイスが固有する要素をさらに含むようにする。また。より多く制限されない場合に、語句「一つ…を含む」が限定する要素は、上記要素を含むプロセス、方法、物品又はデバイスにおいて他の同一の要素を含むことを排除しない。
【０１８２】
以上で図面を参考して本発明の実施例を詳細に記述したが、以上で記述された実施形態は、本発明を説明するためのものであり、限定ではない。当業者にとって、上記実施形態について、各種の修正、変更を行い得るが、本発明の本質と範囲から逸脱しない。従って、本発明の範囲は特許請求の範囲及び均等意味のみに限定される。
【図１】
0006733727.tif 000002
【図２】
0006733727.tif 000003
【図３】
0006733727.tif 000004
【図４】
0006733727.tif 000005
【図５】
0006733727.tif 000006
【図６】
0006733727.tif 000007
【図７】
0006733727.tif 000008
【図８】
0006733727.tif 000009
【図９】
0006733727.tif 000010
【図１０】
0006733727.tif 000011
【図１１】
0006733727.tif 000012
【図１２】
0006733727.tif 000013
【図１３】
0006733727.tif 000014
【図１４】
0006733727.tif 000015
【図１５】
0006733727.tif 000016
【図１６】
0006733727.tif 000017
【図１７】
0006733727.tif 000018